(57)【要約】動き及び／又は失禁などの患者のイベントに関する通知を提供する通知システムを提供する。前記通知システムは、１つのモニタに関連して使用される失禁パッドだけでなく、複数の異なる圧力センサパッドも備える。
2020530353.tif 000002
【特許請求の範囲】
【請求項１】
患者の動き通知システムであって、
患者によって加えられた圧力を検知するための圧力センサと、第１の無線信号を送信するための送信回路とを含む第１のセンサパッドと、
患者によって加えられた圧力を検知するための圧力センサと、第２の無線信号を送信するための送信回路とを含む第２のセンサパッドと、
前記第１及び第２の無線信号を受信するための受信機を有するモニタであって、前記第１及び第２の無線信号の１つに応答して患者の動きに関する通知を生成するモニタと、を備え、
前記第２のセンサパッドは、前記第１のセンサパッドとは異なるタイプのセンサパッドであり、及び
前記第１及び第２の無線信号は、前記第１及び第２の無線信号の送信元であるセンサパッドのタイプを識別するタイプコードを含む、患者の動き通知システム。
【請求項２】
前記第１及び第２の無線信号は、前記第１及び第２の無線信号の送信元である前記センサパッドがアクティブであるかどうかを識別するアクティブコードを含む、請求項１に記載の患者の動き通知システム。
【請求項３】
前記第１及び第２のセンサパッドの１つのみが、いつでもアクティブである、請求項２に記載の患者の動き通知システム。
【請求項４】
前記モニタは、特定のタイプの１つのセンサパッドのみからの無線信号に応答するように構成される、請求項１から３のいずれか一項に記載の患者の動き通知システム。
【請求項５】
前記モニタは、ベッドタイプの１つのセンサパッド、椅子タイプの１つのセンサパッド、及びトイレタイプの１つのセンサパッドのみからの無線信号に応答するように構成される、請求項４に記載の患者の動き通知システム。
【請求項６】
前記第１のセンサパッドは、ベッドタイプのセンサパッドであり、前記第２のセンサパッドは、椅子タイプのセンサパッド及びトイレタイプのセンサパッドの１つである、請求項１から５のいずれか一項に記載の患者の動き通知システム。
【請求項７】
請求項１から６のいずれか一項に記載の患者の動き通知システムであって、失禁による水分を検知するための失禁センサを含む第３のセンサパッドと、前記失禁センサに応答して第３の無線信号を送信するために、前記第３のセンサパッドに関連付けられた送信機とをさらに備え、
前記受信機は前記第３の無線信号を受信し、前記モニタは前記第３の無線信号に応答して失禁に関する通知を生成し、及び
前記第３の無線信号は、前記第３の無線信号の送信元であるセンサパッドのタイプを識別するタイプコードを含む、患者の動き通知システム。
【請求項８】
請求項１から７のいずれか一項に記載の患者の動き通知システムであって、前記モニタの送信機から信号を受信するためのナースコール受信機を有するナースコール中継装置と、前記モニタの前記受信機に信号を送信するための送信機とをさらに備え、前記ナースコール中継装置から送信される前記信号は、前記ナースコール中継装置から送信される前記信号を識別するタイプコードを含む、患者の動き通知システム。
【請求項９】
前記モニタは、１つのナースコール中継装置のみからの無線信号に応答するように構成される、請求項８に記載の患者の動き通知システム。
【請求項１０】
請求項１から９のいずれか一項に記載の患者の動き通知システムであって、患者をトイレに固定するための便座ベルトであって、
前記患者を固定するために前記便座ベルトの２つの部分を接続する取り外し可能クリップと、
前記取り外し可能クリップが前記便座ベルトの前記２つの部分を接続しているかどうかを検知するためのクリップセンサと、を含む、便座ベルトと、
前記クリップセンサが、前記取り外し可能クリップが前記便座ベルトの前記２つの部分を接続していることを、前記取り外し可能クリップがもはや検知しないことを検出すると、警報信号を前記モニタに送信するための信号発生器と、を備える、患者の動き通知システム。
【請求項１１】
前記モニタは、１つの便座ベルトのみからの無線信号に応答するように構成される、請求項１０に記載の患者の動き通知システム。
【請求項１２】
患者の動き通知及び失禁通知を提供するための通知システムであって、
患者によって加えられた圧力を検知するための圧力センサと、前記圧力センサに応答して圧力信号を生成するための送信機とを含む圧力センサパッドと、
失禁による水分を検知するための失禁センサを含む失禁センサパッドと、
前記失禁センサに応答して水分検出信号を送信するために、前記失禁センサパッドに関連付けられた送信機と、
前記圧力信号及び前記水分検出信号を受信するための受信機を含むモニタであって、前記圧力信号に応答して患者の動きに関する通知を生成する、及び前記水分検出信号の受信に応じて失禁に関する通知を生成するモニタと、を備える、通知システム。
【請求項１３】
前記圧力信号及び前記水分検出信号は、前記信号の送信元であるセンサパッドのタイプを識別するタイプコードを含む、請求項１２に記載の通知システム。
【請求項１４】
請求項１３に記載の通知システムであって、患者によって加えられた圧力を検知するための圧力センサと、前記圧力センサに応答して圧力信号を生成するための送信機とを含む第２の圧力センサパッドをさらに備え、
前記第２の圧力センサパッドから送信される前記圧力信号は、他の圧力センサパッドから送信される前記圧力信号に含まれる前記タイプコードとは異なるタイプコードを含む、通知システム。
【請求項１５】
患者の動き通知システムであって、
患者によって加えられた圧力を検知するための圧力センサと、第１の無線信号を送信するための送信回路とを含む第１のセンサパッドと、
患者によって加えられた圧力を検知するための圧力センサと、第２の無線信号を送信するための送信回路とを含む第２のセンサパッドと、
前記第１及び第２の無線信号を受信するための受信機を有するモニタであって、前記第１及び第２の無線信号の１つに応答して患者の動きに関する通知を生成するモニタと、を備え、
前記第１及び第２の無線信号は、前記第１及び第２の無線信号の送信元である前記センサパッドがアクティブであるかどうかを識別するアクティブコード含む、患者の動き通知システム。
【請求項１６】
請求項１５に記載の患者の動き通知システムであって、失禁による水分を検知するための失禁センサを含む第３のセンサパッドと、前記失禁センサに応答して第３の無線信号を生成するために、前記第３のセンサパッドに関連付けられた送信機とをさらに備え、
前記受信機は前記第３の無線信号を受信し、前記モニタは前記第３の無線信号に応答して失禁に関する通知を生成する、患者の動き通知システム。
【請求項１７】
前記第１、第２、及び第３の無線信号は、前記信号の送信元であるセンサパッドのタイプを識別するタイプコードを含む、請求項１６に記載の患者の動き通知システム。
【請求項１８】
前記第１、第２、及び第３の無線信号は、前記信号の送信元であるセンサパッドのタイプを識別するタイプコードを含む、請求項１５から１７のいずれか一項に記載の患者の動き通知システム。
【請求項１９】
患者の動き通知システムであって、
患者によって加えられた圧力を検知するための圧力センサと、第１の無線信号を送信するための送信回路とを含む第１のセンサパッドと、
患者によって加えられた圧力を検知するための圧力センサと、第２の無線信号を送信するための送信回路とを含む第２のセンサパッドと、
前記第１及び第２の無線信号を受信するための受信機を有するモニタであって、前記第１及び第２の無線信号の１つに応答して患者の動きに関する通知を生成するモニタと、を備え、
前記モニタは、ユーザがモニタに、それが受信する無線信号の発信元であるすべてのセンサパッドへの応答を終了させるための入力を含む、患者の動き通知システム。
【請求項２０】
請求項１９に記載の患者の動き通知システムであって、失禁による水分を検知するための失禁センサを含む第３のセンサパッドと、前記失禁センサに応答して第３の無線信号を送信するために、前記第３のセンサパッドに関連付けられた送信機とをさらに備え、
前記受信機は前記第３の無線信号を受信し、前記モニタは前記第３の無線信号に応答して失禁に関する通知を生成する、患者の動き通知システム。
【請求項２１】
前記モニタは、複数の入力と、前記複数の入力に接続されるコントローラとを備え、前記コントローラは、患者の介護者による前記複数の入力のうちの少なくとも１つの同時起動応じて、出荷時の初期設定状態にリセットするよう構成されている、請求項１９から２０のいずれか一項に記載の患者の動き通知システム。
【請求項２２】
前記モニタはモジュールＩＤコードを有し、前記センサパッドは、前記送信回路が前記圧力信号で前記モジュールＩＤコードを送信するように前記モニタと組み合わされ、前記コントローラは、前記モニタの前記モジュールＩＤコードを含む圧力信号にのみ応答する、請求項２１に記載の患者の動き通知システム。
【請求項２３】
前記コントローラは、前記モニタの前記モジュールＩＤコードを変更することで、前記出荷時の初期設定状態にリセットするよう構成されている、請求項２２に記載の患者の動き通知システム。
【請求項２４】
前記モニタ受信機は、モニタトランシーバの一部であり、前記システムは、前記モニタトランシーバとの双方向通信を提供するためのナースコールトランシーバを有するナースコール中継装置をさらに備え、前記モニタトランシーバは、前記ナースコールトランシーバに通知信号を送信し、前記ナースコールトランシーバは、前記モニタトランシーバに定期的なステータス信号を送信し、前記入力の起動によって、前記モニタに前記ナースコール中継装置への応答を終了させない、請求項１９から２３のいずれか一項に記載の患者の動き通知システム。
【請求項２５】
患者の動き通知システムであって、
患者によって加えられた圧力を検知するための圧力センサと、圧力信号を送信するための送信回路とを含むセンサパッドと、
前記センサパッドから前記圧力信号を受信するための受信機を有するモニタであって、前記患者がもはや前記センサパッドに圧力をかけていないことを前記圧力信号が示す場合、前記圧力信号に応答して患者の動きに関する通知を生成するモニタと、を備え、
前記モニタは、複数の入力と、前記複数の入力に接続されるコントローラとを備え、前記コントローラは、患者の介護者による前記複数の入力のうちの少なくとも１つの同時起動に応じて、出荷時の初期設定状態にリセットするよう構成されている、患者の動き通知システム。
【請求項２６】
前記モニタはモジュールＩＤコードを有し、前記センサパッドは、前記送信回路が前記圧力信号で前記モジュールＩＤコードを送信するように前記モニタと組み合わされ、前記コントローラは、前記モニタの前記モジュールＩＤコード含む圧力信号にのみ応答する、請求項２５に記載の患者の動き通知システム。
【請求項２７】
前記コントローラは、前記モニタの前記モジュールＩＤコードを変更することで、前記出荷時の初期設定状態にリセットするよう構成されている、請求項２６に記載の患者の動き通知システム。
【請求項２８】
請求項２７に記載の患者の動き通知システムであって、前記モニタに関連付けられ、前記モジュールＩＤコードを含む取り外し可能なキーモジュールをさらに備え、
前記センサパッドは、前記取り外し可能なキーに電気的に接続するためのコネクタを含み、前記センサパッドは、前記取り外し可能なキーから前記モジュールＩＤコードを受信し、その後、前記無線信号に前記モジュールＩＤコードを加える、患者の動き通知システム。
【請求項２９】
請求項２５から２８のいずれか一項に記載の患者の動き通知システムであって、患者によって加えられた圧力を検知するための圧力センサと、圧力信号を送信するための送信回路とを含む第２のセンサパッドをさらに備え、前記受信機は、前記圧力信号を前記第２のセンサパッドから受信する、患者の動き通知システム。
【請求項３０】
請求項２９に記載の患者の動き通知システムであって、失禁による水分を検知するための失禁センサを含む第３のセンサパッドと、前記失禁センサに応答して第３の無線信号を送信するために、前記第３のセンサパッドに関連付けられた送信機とをさらに備え、
前記受信機は前記第３の無線信号を受信し、前記モニタは前記第３の無線信号に応答して失禁に関する通知を生成する、患者の動き通知システム。
【請求項３１】
前記モニタは、信号を送信するための送信機を含み、前記システムは、前記モニタの前記送信機から前記信号を受信するためのナースコール受信機を有するナースコール中継装置をさらに備え、前記ナースコール中継装置は、前記モニタに対応するモジュールＩＤコードを有する前記信号にのみ応答するよう、前記モニタと組み合わされ、前記モニタが前記ナースコール中継装置ともはや組み合わされないように、前記コントローラは、前記モニタの前記モジュールＩＤコードを変更することで、前記出荷時の初期設定状態にリセットする、請求項２５から３０のいずれか一項に記載の患者の動き通知システム。
【請求項３２】
前記モニタは、スピーカをさらに備え、前記コントローラは、前記複数の入力のうちの少なくとも１つから受信した入力に応答し、前記スピーカを制御して、前記複数の入力の起動に関する事前に記録された音声確認又は確認音を再生する、請求項２５から３１のいずれか一項に記載の患者の動き通知システム。
【請求項３３】
前記コントローラは、前記確認音を消去することなく、前記出荷時の初期設定状態にリセットする際、前記事前に記録された音声確認を消去する、請求項３２に記載の患者の動き通知システム。
【請求項３４】
患者の活動通知システム用センサデバイスであって、
特許活動を検知するセンサと、
２つの電気接点が互いに向かってバイアスされるスロットを含むハウジングと、
前記スロットに取り外し可能に配置されて、前記２つの電気接点間に延びる電線に接続するキルタブであって、前記電線は前記２つの接点間に電流を流すことを可能にし、前記キルタブが前記スロットから取り外されると、電流が前記２つの電気接点を流れることができないように、前記電線は前記２つの電気接点の少なくとも１つから引き出される、キルタブと、
前記センサによって検知された患者の活動に応じて患者の活動信号を生成するかどうかを決定するために、前記センサに接続されるコントローラと、を備え、
前記２つの電気接点の少なくとも１つは、前記コントローラに接続され、前記コントローラは、前記２つの電気接点に電流が流れているかどうかを検知し、及び
前記コントローラは、電流が前記２つの電気接点を流れていないことを検知すると、前記コントローラは、シャットダウンルーチンを実行し、その後、前記センサデバイスの機能を終了するために、追加のステップ又は命令を実行しなくなる、患者の活動通知システム用センサデバイス。
【請求項３５】
特許活動を検知するための前記センサは、失禁による水分を検知するための失禁センサである、請求項３４に記載の患者の活動通知システム用センサデバイス。
【請求項３６】
特許活動を検知するための前記センサは、患者によって加えられた圧力を検知するための圧力センサである、請求項３５に記載の患者の活動通知システム用センサデバイス。
【請求項３７】
特許活動を検知するための前記センサは、患者によって加えられた圧力を検知するための圧力センサである、請求項３４から３６のいずれか一項に記載の患者の活動通知システム用センサデバイス。
【請求項３８】
前記患者の動作を検知するための動作検知器をさらに備える、請求項３４から３７のいずれか一項に記載の患者の活動通知システム用センサデバイス。
【請求項３９】
患者の動き通知システムであって、
患者によって加えられた圧力を検知するための圧力センサと、圧力信号を送信するための送信回路とを含むセンサパッドと、
前記センサパッドから前記圧力信号を受信するための受信機を有するモニタであって、前記患者がもはや前記センサパッドに圧力をかけていないことを前記圧力信号が示す場合、前記圧力信号に応答して患者の動きに関する通知を生成するモニタと、を備え、
前記モニタは、保持入力であって、患者の介護者が、前記患者を前記センサパッドから一時的に外せるようにするために、前記患者の介護者によって前記保持入力が起動された後、第１の所定時間の間、前記センサパッドからの前記圧力信号に応答して患者の動きに関する通知が生成されることを、前記患者の介護者が阻止できるようにするための保持入力を含む、患者の動き通知システム。
【請求項４０】
請求項３９に記載の患者の動き通知システムであって、失禁による水分を検知するための失禁センサと、
前記失禁センサに応答して水分検出信号を送信するために、前記失禁センサに関連付けられた送信機と、をさらに備え、
前記受信機は、前記水分検出信号をさらに受信し、前記モニタは、前記水分検出信号の受信に応じて失禁に関する通知を生成し、
前記保持入力が所定の持続時間の間起動されると、前記モニタは、前記保持入力が前記患者の介護者によって起動された後、第２の所定時間の間、失禁に関する通知の生成を阻止することによって応答し、前記第２の所定時間は、失禁イベントに対処するため前記患者の介護者が時間を延長できるよう、前記第１の所定時間よりも長い、患者の動き通知システム。
【請求項４１】
前記第１の所定時間が経過した後、前記患者がもはや前記センサパッドに圧力をかけていないことを前記圧力信号が示す場合、前記モニタは、患者の動きに関する通知を生成することによって、前記センサパッドからの前記圧力信号に応答する、請求項４０に記載の患者の動き通知システム。
【請求項４２】
前記第１の所定時間が経過した後、前記患者がもはや前記センサパッドに圧力をかけていないことを前記圧力信号が示す場合、前記モニタは、患者の動きに関する通知を生成することによって、前記センサパッドからの前記圧力信号に応答する、請求項４０に記載の患者の動き通知システム。
【請求項４３】
前記モニタは、患者の動きに関する通知に応答して警報音を生成するためのスピーカを含む、請求項４０に記載の患者の動き通知システム。
【請求項４４】
前記スピーカは、前記第１の所定時間が経過する前に、前記第１の所定時間が経過しようとしていることを示す音声メッセージ又は音を生成する、請求項４０に記載の患者の動き通知システム。
【請求項４５】
請求項４０に記載の患者の動き通知システムであって、
前記モニタに関連付けられ、モジュールＩＤコードを含む取り外し可能なキーモジュールをさらに備え、
前記センサパッドは、前記取り外し可能なキーに電気的に接続するためのコネクタを含み、前記センサパッドは、前記取り外し可能なキーから前記モジュールＩＤコードを受信し、その後、前記圧力信号に前記モジュールＩＤコードを加える、患者の動き通知システム。
【請求項４６】
失禁警告システムであって、
失禁による水分を検知するための水分センサを含むセンサパッドと、
前記失禁センサに応答して水分検出信号を送信するために、前記センサパッドに関連付けられた送信機と、
前記水分検出信号を受信するための受信機を有するモニタであって、前記水分検出信号の受信に応じて失禁に関する通知を生成するモニタと、を備え、
前記モニタは、保持入力であって、失禁イベントに対処するため患者の介護者が時間を延長できるようにするために、前記患者の介護者によって前記保持入力が起動された後、第１の所定時間の間、前記センサパッドからの前記水分検出信号に応答して失禁に関する通知が生成されることを、前記患者の介護者が阻止できるようにするための保持入力を含む、失禁警告システム。
【請求項４７】
前記スピーカは、前記第１の所定時間が経過する前に、前記第１の所定時間が経過しようとしていることを示す音声メッセージ又は音を生成する、請求項４６に記載の失禁警告システム。
【請求項４８】
請求項４６から４７のいずれか一項に記載の失禁警告システムであって、
前記モニタに関連付けられ、モジュールＩＤコードを含む取り外し可能なキーモジュールをさらに備え、
前記センサパッドは、前記取り外し可能なキーに電気的に接続するためのコネクタを含み、前記センサパッドは、前記取り外し可能なキーから前記モジュールＩＤコードを受信し、その後、前記水分検出信号に前記モジュールＩＤコードを加える、失禁警告システム。
【請求項４９】
患者の動き通知システムであって、
患者によって加えられた圧力を検知するための圧力センサと、第１の無線信号を送信するための送信回路とを含む第１のセンサパッドと、
患者によって加えられた圧力を検知するための圧力センサと、第２の無線信号を送信するための送信回路とを含む第２のセンサパッドと、
前記第１及び第２の無線信号を受信するための受信機を有するモニタであって、前記第１及び第２の無線信号の１つに応答して患者の動きに関する通知を生成するモニタと、
前記モニタに関連付けられ、モジュールＩＤコードを含む取り外し可能なキーモジュールを備え、
前記第１及び第２のセンサパッドはそれぞれ、前記取り外し可能なキーに電気的に接続するためのコネクタを含み、前記第１及び第２のセンサパッドは、前記取り外し可能なキーから前記モジュールＩＤコードを受信し、その後、前記第１及び第２の無線信号に前記モジュールＩＤコードを加える、患者の動き通知システム。
【請求項５０】
前記キーモジュールは、それに接続された前記センサパッドが前記モジュールＩＤコードを受信している時、及び前記センサパッドが前記モジュールＩＤコードを受信し終えた時を示すために点灯されるインジケータライトを含む、請求項４９に記載の患者の動き通知システム。
【請求項５１】
前記モニタは、前記取り外し可能なキーに電気的に接続するためのコネクタを含み、前記取り外し可能なキーは、前記モニタから前記モジュールＩＤコードを受信する、請求項４９から５０のいずれか一項に記載の患者の動き通知システム。
【請求項５２】
前記モニタは、少なくとも１つのユーザ入力、スピーカ、及び前記受信機、前記ユーザ入力、前記スピーカに接続されたコントローラをさらに含み、前記コントローラは、前記ユーザ入力から受信した入力に応答し、前記スピーカを制御して、前記ユーザ入力の起動に関する事前に記録された音声確認又は確認音を再生する、請求項４９から５１のいずれか一項に記載の患者の動き通知システム。
【請求項５３】
前記モニタは、保持入力であって、患者の介護者が、前記患者を前記センサパッドから一時的に外せるようにするために、前記患者の介護者によって前記保持入力が起動された後、第１の所定時間の間、前記センサパッドからの前記圧力信号に応答して患者の動きに関する通知が生成されることを、前記患者の介護者が阻止できるようにするための保持入力を含む、請求項４９から５２のいずれか一項に記載の患者の動き通知システム。
【請求項５４】
請求項４９から５３のいずれか一項に記載の患者の動き通知システムであって、
失禁による水分を検知するための失禁センサと、
前記失禁センサに応答して水分検出信号を送信するために、前記失禁センサに関連付けられた送信機と、をさらに備え、
前記受信機は、前記水分検出信号をさらに受信し、前記モニタは、前記水分検出信号の受信に応じて失禁に関する通知を生成し、
前記モニタは、保持入力であって、失禁イベントに対処するため患者の介護者が時間を延長できるようにするために、前記患者の介護者によって前記保持入力が起動された後、第１の所定時間の間、前記センサパッドからの前記水分検出信号に応答して失禁に関する通知が生成されることを、前記患者の介護者が阻止できるようにするための保持入力を含む、患者の動き通知システム。
【請求項５５】
患者の動き通知システムであって、
患者によって加えられた圧力を検知するための圧力センサと、圧力信号を送信するための送信回路とを含むセンサパッドと、
前記センサパッドから前記圧力信号を受信するための受信機を有するモニタであって、前記患者がもはや前記センサパッドに圧力をかけていないことを前記圧力信号が示す場合、前記圧力信号に応答して患者の動きに関する通知を生成するモニタと、を備え、
前記モニタは、少なくとも１つのユーザ入力、スピーカ、及び前記受信機、前記ユーザ入力、前記スピーカに接続されたコントローラをさらに含み、前記コントローラは、前記ユーザ入力から受信した入力に応答し、前記スピーカを制御して、前記ユーザ入力の起動に関する確認音又は事前に記録された音声確認を再生する、患者の動き通知システム。
【請求項５６】
前記モニタは、保持入力であって、患者の介護者が、前記患者を前記センサパッドから一時的に外せるようにするために、前記患者の介護者によって前記保持入力が起動された後、第１の所定時間の間、前記センサパッドからの前記圧力信号に応答して患者の動きに関する通知が生成されることを、前記患者の介護者が阻止できるようにするための保持入力を含む、請求項５５に記載の患者の動き通知システム。
【請求項５７】
請求項５５から５６のいずれか一項に記載の患者の動き通知システムであって、
失禁による水分を検知するための失禁センサと、
前記失禁センサに応答して水分検出信号を送信するために、前記失禁センサに関連付けられた送信機と、をさらに備え、
前記受信機は、前記水分検出信号をさらに受信し、前記モニタは、前記水分検出信号の受信に応じて失禁に関する通知を生成し、
前記モニタは、保持入力であって、失禁イベントに対処するため患者の介護者が時間を延長できるようにするために、前記患者の介護者によって前記保持入力が起動された後、第１の所定時間の間、前記センサパッドからの前記水分検出信号に応答して失禁に関する通知が生成されることを、前記患者の介護者が阻止できるようにするための保持入力を含む、患者の動き通知システム。
【請求項５８】
請求項５５から５７のいずれか一項に記載の患者の動き通知システムであって、
前記モニタに関連付けられ、モジュールＩＤコードを含む取り外し可能なキーモジュールを備え、
前記センサパッドは、前記取り外し可能なキーに電気的に接続するためのコネクタを含み、前記センサパッドは、前記取り外し可能なキーから前記モジュールＩＤコードを受信し、その後、前記無線信号に前記モジュールＩＤコードを加える、患者の動き通知システム。
【請求項５９】
失禁検知システムであって、
失禁センサパッドであって、その表面の末端部まで延びる第１及び第２の導電性トレースを前記表面に有する失禁センサパッドと、
前記失禁センサパッドの前記表面の前記末端部に取り外し可能に取り付けられた失禁電子モジュールであって、
前記第１及び第２の導電性トレースへの電気接続を形成するための電気接点と、
前記第１及び第２の導電性トレースにわたって水分を検知するため、及び水分が検知されると失禁警報信号を生成するために前記電気接点に接続される回路とを含む失禁電子モジュールとを備える、失禁検知システム。
【請求項６０】
前記失禁電子モジュールは、前記失禁センサパッドの前記表面の前記末端部上に留めるためのクリップを含む、請求項５９に記載の失禁検知システム。
【請求項６１】
前記クリップは、非クリップ留め位置で開き、クリップ留め位置で閉じる枢着部を含み、前記失禁電子モジュールは、前記失禁センサパッドの前記表面の前記末端部から外れるのを防止するため、前記枢着部をクリップ留め位置に係止するための係止部をさらに含む、請求項６０に記載の失禁検知システム。
【請求項６２】
前記クリップの一部は、ユーザが前記電気接点と前記第１及び第２の導電性トレースとの配向を確認できるように、実質的に透明である、請求項６０に記載の失禁検知システム。
【請求項６３】
前記失禁電子モジュールの前記回路は、前記失禁警報信号を無線で送信するための送信機を含む、請求項５９から６２のいずれか一項に記載の失禁検知システム。
【請求項６４】
前記失禁電子モジュールの前記回路は、送信される前記失禁警報信号が通過するワイヤを含む、請求項５９から６３のいずれか一項に記載の失禁検知システム。
【請求項６５】
前記第１の導電性トレースは、第１の複数の交互嵌合導電性延長部に接続された第１の導電性バスを含み、前記第２の導電性トレースは、第２の複数の交互嵌合導電性延長部に接続された第２の導電性バスを含む、請求項５９から６４のいずれか一項に記載の失禁検知システム。
【請求項６６】
前記第１及び第２の導電性バスは、前記表面の前記末端部から所定の間隔を置いて平行に延びる、請求項６５に記載の失禁検知システム。
【請求項６７】
前記第１及び第２の導電性バスは、前記表面の第２の末端部から第２の間隔を置いて平行に延び、前記失禁電子モジュールに任意の第２の接続箇所を形成する、請求項６６に記載の失禁検知システム。
【請求項６８】
前記失禁センサパッドは、前記失禁センサパッドの前記表面の少なくとも一部にわたって設けられた吸収材を含む、請求項５９から６７のいずれか一項に記載の失禁検知システム。
【請求項６９】
前記吸収材は、看護人が、色が変化した前記吸収材のサイズに基づいて、吸収された水分の相対量を決定できるように、吸収された水分に応じて色を変える色変化材料を含む、請求項６８に記載の失禁検知システム。
【請求項７０】
前記失禁センサパッドは、看護人が、水分吸収により膨張した前記吸収材の領域のサイズに基づいて、吸収された水分の相対量を決定できるように、グリッドマーキングを含む、請求項６８に記載の失禁検知システム。
【請求項７１】
前記失禁電子モジュールは、状態ボタンと、前記状態ボタンが押されると、前記第１及び第２の導電性トレースへの接続状態を示す状態インジケータとを含む、請求項５９から７０のいずれか一項に記載の失禁検知システム。
【請求項７２】
前記状態インジケータは、失禁イベントがある際の状態をさらに示す、請求項７１に記載の失禁検知システム。
【請求項７３】
前記失禁電子モジュールは、前記失禁センサパッドの温度を検知するための温度センサを備え、前記回路は、前記温度センサによって検知された温度が閾値温度に達すると、床ずれ事前警告信号を生成する、請求項５９から７２のいずれか一項に記載の失禁検知システム。
【請求項７４】
前記失禁電子モジュールは、
２つの追加の電気接点が互いに向かってバイアスされるスロットを含むハウジングと、
前記スロットに取り外し可能に配置されて、前記２つの追加の電気接点間に延びる電線に接続するキルタブであって、前記電線は前記２つの追加の接点間に電流を流すことを可能にし、前記キルタブが前記スロットから取り外されると、電流が前記２つの追加の電気接点を流れることができないように、前記電線は前記２つの追加の電気接点の少なくとも１つから引き出される、キルタブとをさらに備え、及び
前記２つの追加の電気接点の少なくとも１つは、前記回路に接続され、前記回路は、前記２つの追加の電気接点に電流が流れているかどうかを検知するコントローラを含み、
前記コントローラは、電流が前記２つの追加の電気接点を流れていないことを検知すると、前記コントローラは、シャットダウンルーチンを実行し、その後、前記失禁電子モジュールの機能を終了するために、追加のステップ又は命令を実行しなくなる、請求項５９から７３のいずれか一項に記載の失禁検知システム。
【請求項７５】
前記失禁電子モジュールは、前記失禁検知パッドの表面と係合するために底面に取り付け部材を含む、請求項５９から７４のいずれか一項に記載の失禁検知システム。
【請求項７６】
失禁検知パッドであって、
表面を有する基材と、
前記基材の前記表面上の第１の導電性トレースであって、前記第１の導電性トレースは、第１の複数の交互嵌合導電性延長部に接続された第１の導電性バスを含み、前記第１の導電性バスは、前記表面の末端部まで延びる、第１の導電性トレースと、
前記基材の前記表面上の第２の導電性トレースであって、前記第２の導電性トレースは、第２の複数の交互嵌合導電性延長部に接続された第２の導電性バスを含み、前記第２の導電性バスは、前記表面の前記末端部まで延びる、第２の導電性トレースと、を備える、失禁検知パッド。
【請求項７７】
前記第１及び第２の導電性バスは、前記表面の前記末端部から所定の間隔を置いて平行に延びる、請求項７６に記載の失禁検知パッド。
【請求項７８】
前記第１及び第２の導電性バスは、前記表面の第２の末端部から第２の所定の間隔を置いて平行に延び、失禁電子モジュールに任意の第２の接続箇所を形成する、請求項７７に記載の失禁検知パッド。
【請求項７９】
前記失禁センサパッドは、略矩形であり、前記表面の前記第２の末端部は、前記失禁センサパッドの反対側に近接している、請求項７８に記載の失禁検知パッド。
【請求項８０】
前記略矩形の失禁センサパッドは、第１、第２、第３、及び第４の側面を有し、前記第１及び第３の側面は、前記２及び第４の側面よりも短い、請求項７９に記載の失禁検知パッド。
【請求項８１】
前記表面の前記末端部は、前記第１の側面に近接し、前記第２の末端部は、前記第３の側面に近接している、請求項８０に記載の失禁検知パッド。
【請求項８２】
前記表面の前記末端部は、前記第２の側面に近接し、前記第２の末端部は、前記第４の側面に近接している、請求項８０に記載の失禁検知パッド。
【請求項８３】
前記表面の前記末端部まで延びる前記第１の導電性バスの第１の部分は、前記表面の前記第２の末端部まで延びる前記第１の導電性バスの第２の部分と同一直線上にあり、前記表面の前記末端部まで延びる前記第２の導電性バスの第１の部分は、前記表面の前記第２の末端部まで延びる前記第２の導電性バスの第２の部分と同一直線上にある、請求項７９に記載の失禁検知パッド。
【請求項８４】
前記基板は、前記基板の側端から外側に延びる少なくとも１つのタブを含み、前記表面の前記末端部は、前記少なくとも１つのタブ上に配置されている、請求項７６から８３のいずれか一項に記載の失禁検知パッド。
【請求項８５】
前記第１及び第２の導電性バスは、前記基板の両端にそれぞれ達している、請求項７６から８４のいずれか一項に記載の失禁検知パッド。
【請求項８６】
前記失禁センサパッドは、前記基材の前記表面の少なくとも一部にわたって配置された吸収材を含む、請求項７６から８５のいずれか一項に記載の失禁検知パッド。
【請求項８７】
前記吸収材は、前記基材の前記両端まで延びておらず、前記第１及び第２の導電性バスは、前記吸収材の両端にそれぞれ達しているが、前記基材の前記両端まで達していない、請求項８６に記載の失禁検知パッド。
【請求項８８】
前記吸収材は、看護人が、色が変化した前記吸収材のサイズに基づいて、吸収された水分の相対量を決定できるように、吸収された水分に応じて色を変える色変化材料を含む、請求項８６に記載の失禁検知パッド。
【請求項８９】
前記失禁センサパッドは、看護人が、水分吸収により膨張した前記吸収材の領域のサイズに基づいて、吸収された水分の相対量を決定できるように、グリッドマーキングを含む、請求項８６に記載の失禁検知パッド。
【請求項９０】
失禁チャックであって、
表面を有する基材と、
前記基材の前記表面の少なくとも一部にわたって配置された吸収材と、を備え、
前記吸収材は、看護人が、色が変化した前記吸収材のサイズに基づいて、吸収された水分の相対量を決定できるように、吸収された水分に応じて色を変える色変化材料を含む、失禁チャック。
【請求項９１】
請求項９０に記載の失禁チャックであって、
前記基材の前記表面上の第１の導電性トレースであって、前記第１の導電性トレースは、第１の複数の交互嵌合導電性延長部に接続された第１の導電性バスを含み、前記第１の導電性バスは、前記表面の末端部まで延びる、第１の導電性トレースと、
前記基材の前記表面上の第２の導電性トレースであって、前記第２の導電性トレースは、第２の複数の交互嵌合導電性延長部に接続された第２の導電性バスを含み、前記第２の導電性バスは、前記表面の前記末端部まで延びる、第２の導電性トレースと、を備える、失禁チャック。
【請求項９２】
前記色変化材料は、患者の皮膚のｐＨレベルに応じて色も変化する、請求項９０から９１のいずれか一項に記載の失禁チャック。
【請求項９３】
失禁検知システムであって、
失禁センサパッドであって、その表面の末端部まで延びる第１及び第２の導電性トレースを前記表面に有する失禁センサパッドと、
前記失禁センサパッド上に横たわる患者の体温を検知するための温度センサと、
前記失禁センサパッドの前記表面の前記末端部に取り外し可能に取り付けられた失禁電子モジュールであって、
前記第１及び第２の導電性トレースへの電気接続を形成するための電気接点と、
前記第１及び第２の導電性トレースにわたって水分を検知するため、及び水分が検知されると失禁警報信号を生成するために前記電気接点に接続される回路であって、
前記回路は、前記検知回路によって検知された体温が閾値体温に達すると、床ずれ事前警告信号を生成する、回路と、を含む失禁電子モジュールとを備える、失禁検知システム。
【請求項９４】
患者の動き通知システムであって、
患者によって加えられた圧力を検知するための圧力センサと、圧力信号を送信するための送信回路とを含むセンサパッドと、
前記センサパッドから前記圧力信号を受信するためのモニタトランシーバを有するモニタであって、前記患者がもはや前記センサパッドに圧力をかけていないことを前記圧力信号が示す場合、前記圧力信号に応答して患者の動きに関する通知を生成するモニタと、
前記モニタトランシーバとの双方向通信を提供するためのナースコールトランシーバを有するナースコール中継装置とを備え、
前記モニタトランシーバは、前記ナースコールトランシーバに通知信号を送信し、前記ナースコールトランシーバは、前記モニタトランシーバに定期的なステータス信号を送信する、患者の動き通知システム。
【請求項９５】
前記ナースコール中継装置は、ナースコールシステムと通信するよう構成される、請求項９４に記載の患者の動き通知システム。
【請求項９６】
前記ナースコール中継装置は、前記ナースコールシステムを通じて、看護人のモバイル通信機器と通信する、請求項９５に記載の患者の動き通知システム。
【請求項９７】
前記ナースコール中継装置は、前記ナースコールシステムのレセプタクルに差し込むためのプラグをさらに含む、請求項９５に記載の患者の動き通知システム。
【請求項９８】
前記ナースコール中継装置は、ナースコールボタンのプラグを受けるためのレセプタクルをさらに含む、請求項９５に記載の患者の動き通知システム。
【請求項９９】
前記ナースコール中継装置は、定期的にステータス信号を前記モニタに送信する、請求項９５に記載の患者の動き通知システム。
【請求項１００】
前記ナースコール中継装置は、モニタＩＤコード及び、前記モニタに送信された各ステータス信号を含むタイプコードを送信する、請求項９９に記載の患者の動き通知システム。
【請求項１０１】
患者の動き通知システムであって、
患者をトイレに固定するための便座ベルトであって、
前記患者を固定するために前記便座ベルトの２つの部分を接続する取り外し可能クリップと、
前記取り外し可能クリップが前記便座ベルトの前記２つの部分を接続しているかどうかを検知するためのクリップセンサと、を含む、便座ベルトと、
前記クリップセンサは、前記取り外し可能クリップが前記便座ベルトの前記２つの部分を接続していることを、前記取り外し可能クリップがもはや検知しないことを検出すると、警報信号を生成するための信号発生器とを備える、患者の動き通知システム。
【請求項１０２】
請求項１０１に記載の患者の動き通知システムであって、患者によって前記トイレの便座に加えた圧力を検知するための圧力センサを含むトイレセンサパッドをさらに備え、前記信号発生器は、前記圧力センサが前記便座の圧力を検知し、且つ、前記センサは、前記クリップセンサが前記取り外し可能なクリップが前記便座ベルトの前記２つの部分をもはや接続していないことを検出すること検出するときのみ、前記信号発生器は、前記警報信号を発生する、患者の動き通知システム。
【請求項１０３】
前記信号発生器は、前記警報信号を無線で送信するための送信回路であり、前記患者の動き通知システムは、前記送信回路から前記警報信号を受信するためのモニタ受信機を有するモニタをさらに備え、前記モニタは、前記警報信号に応答して患者の動きに関する通知を生成する、請求項１０１から１０２のいずれか一項に記載の患者の動き通知システム。
【請求項１０４】
患者の動き通知システムであって、
患者によって加えられた圧力を検知するための圧力センサと、圧力信号を送信するための送信回路とを含むセンサパッドと、
前記センサパッドから前記圧力信号を受信するためのモニタトランシーバを有するモニタであって、前記患者がもはや前記センサパッドに圧力をかけていないことを前記圧力信号が示す場合、前記圧力信号に応答して患者の動きに関する通知を生成するモニタと、
前記患者の動きを検出するために前記モニタと通信するモーションセンサとを備え、
前記モニタは、最後に検出された動きからの期間を追跡し、前記モーションセンサが少なくとも閾値期間にわたって前記患者の動きを検出しない場合、動き無しの通知を生成する、患者の動き通知システム。
【請求項１０５】
前記モーションセンサは、前記センサパッドに組み込まれている、請求項１０４に記載の患者の動き通知システム。
【請求項１０６】
前記モーションセンサは、前記モニタに組み込まれている、請求項１０４から１０５のいずれか一項に記載の患者の動き通知システム。
【請求項１０７】
患者の動き通知システムであって、
患者によって加えられた圧力を検知するための圧力センサと、圧力信号を送信するための送信回路とを含むセンサパッドと、
前記センサパッドから前記圧力信号を受信するためのモニタトランシーバを有するモニタであって、前記患者がもはや前記センサパッドに圧力をかけていないことを前記圧力信号が示す場合、前記圧力信号に応答して患者の動きに関する通知を生成するモニタと、を備え、
前記患者の動きに関する通知は、看護人のモバイル通信機器に送信される、患者の動き通知システム。
【請求項１０８】
前記患者の動きに関する通知は、前記モニタを通じて前記モバイル通信機器に送信される、請求項１０７に記載の患者の動き通知システム。
【請求項１０９】
前記患者の動きに関する通知は、前記モニタから直接前記モバイル通信機器に送信される、請求項１０７から１０８のいずれか一項に記載の患者の動き通知システム。
【請求項１１０】
前記患者の動きに関する通知は、前記センサパッドから直接前記モバイル通信機器に送信される、請求項１０７から１０９のいずれか一項に記載の患者の動き通知システム。
【請求項１１１】
前記患者の動きに関する通知は、Ｗｉ−Ｆｉルータを通じて前記モバイル通信機器に送信される、請求項１０７から１１０のいずれか一項に記載の患者の動き通知システム。
【請求項１１２】
前記患者の動きに関する通知は、ナースコールシステムを通じて前記モバイル通信機器に送信される、請求項１０７から１１１のいずれか一項に記載の患者の動き通知システム。
【請求項１１３】
前記モバイル通信機器は、スマートフォン、携帯電話、スマートウォッチ、及びポケットベルの少なくとも１つを含む、請求項１０７から１１２のいずれか一項に記載の患者の動き通知システム。
【請求項１１４】
失禁警告システムであって、
失禁による水分を検知するための水分センサを含むセンサパッドと、
前記失禁センサに応答して水分検出信号を送信するために、前記センサパッドに関連付けられた送信機と、
前記水分検出信号を受信するための受信機を有するモニタであって、前記水分検出信号の受信に応じて失禁に関する通知を生成するモニタと、を備え、
前記失禁に関する通知は、看護人のモバイル通信機器に送信される、失禁警告システム。
【請求項１１５】
前記患者の動きに関する通知は、前記モニタを通じて前記モバイル通信機器に送信される、請求項１１４に記載の失禁警告システム。
【請求項１１６】
前記患者の動きに関する通知は、前記モニタから直接前記モバイル通信機器に送信される、請求項１１４から１１５のいずれか一項に記載の失禁警告システム。
【請求項１１７】
前記患者の動きに関する通知は、前記センサパッドから直接前記モバイル通信機器に送信される、請求項１１４から１１６のいずれか一項に記載の失禁警告システム。
【請求項１１８】
前記患者の動きに関する通知は、Ｗｉ−Ｆｉルータを通じて前記モバイル通信機器に送信される、請求項１１４から１１７のいずれか一項に記載の失禁警告システム。
【請求項１１９】
前記患者の動きに関する通知は、ナースコールシステムを通じて前記モバイル通信機器に送信される、請求項１１４から１１８のいずれか一項に記載の失禁警告システム。
【請求項１２０】
前記モバイル通信機器は、スマートフォン、携帯電話、スマートウォッチ、及びポケットベルの少なくとも１つを含む、請求項１１４から１１９のいずれか一項に記載の失禁警告システム。
【請求項１２１】
患者の動き通知システムであって、
患者によって加えられた圧力を検知するための圧力センサと、圧力信号を送信するための送信回路とを含むセンサパッドと、
前記センサパッドから前記圧力信号を受信するための受信機と、前記受信機に接続されるコントローラとを有するモニタであって、前記コントローラは、前記患者がもはや前記センサパッドに圧力を加えていないことを前記圧力信号が示すかどうかを判定し、前記患者がもはや前記センサパッドに圧力をかけていないことを前記圧力信号が示す場合、前記圧力信号に応答して患者の動きに関する通知を生成する、モニタと、
前記患者付近のエリアを照らすための少なくとも１つのライトと、を備え、
前記コントローラは、前記少なくとも１つのライトを制御し前記患者付近の前記エリアを選択的に照らす、患者の動き通知システム。
【請求項１２２】
前記コントローラは、前記患者がもはや前記センサパッドに圧力を加えていないことを前記圧力信号が示す判定に応答して、前記少なくとも１つのライトを起動する、請求項１２１に記載の患者の動き通知システム。
【請求項１２３】
前記受信機は、トランシーバの一部であり、前記コントローラは、前記トランシーバを通じて前記少なくとも１つのライトを無線で制御する、請求項１２１から１２２のいずれか一項に記載の患者の動き通知システム。
【請求項１２４】
前記モニタは、前記コントローラ及び受信機が設けられるハウジングをさらに備え、前記少なくとも１つのライトは、前記ハウジングから光を照射するよう、前記ハウジングに設けられる、請求項１２１から１２３のいずれか一項に記載の患者の動き通知システム。
【請求項１２５】
前記少なくとも１つのライトは、前記ハウジングから光を照射するよう前記ハウジングに設けられる第１のライトと、トランシーバを通じて無線で前記コントローラと通信する前記モニタから離れた第２のライトとを含む、請求項１２１から１２４のいずれか一項に記載の患者の動き通知システム。
【請求項１２６】
請求項１２１から１２５のいずれか一項に記載の患者の動き通知システムであって、前記患者が居るエリアを選択的に照らす照明をさらに備え、前記受信機は、トランシーバの一部であり、前記コントローラは、前記トランシーバを通じて前記照明を無線で制御する、患者の動き通知システム。
【請求項１２７】
前記モニタは、タッチスクリーンディスプレイをさらに含み、前記コントローラは、前記タッチスクリーンディスプレイに接続され、前記コントローラは、前記タッチスクリーンディスプレイから受信した入力に応答して、前記タッチスクリーンディスプレイに表示されたイメージを制御する、請求項１２１から１２６のいずれか一項に記載の患者の動き通知システム。
【請求項１２８】
患者の動き通知システムであって、
患者によって加えられた圧力を検知するための圧力センサと、圧力信号を送信するための送信回路とを含むセンサパッドと、
前記患者が居るエリアを選択的に照らす照明と、
前記センサパッドから前記圧力信号を受信するための受信機を有するモニタであって、前記患者がもはや前記センサパッドに圧力をかけていないことを前記圧力信号が示す場合、前記圧力信号に応答して患者の動きに関する通知を生成するモニタと、を備え、
前記患者がもはや前記センサパッドに圧力をかけていないことを前記圧力信号が示す場合、前記圧力信号に応答して、前記エリアを照らすよう前記照明を制御するために、前記モニタは前記照明に通信可能に接続される、患者の動き通知システム。
【請求項１２９】
前記モニタは、制御信号を前記照明に無線で送信する、請求項１２８に記載の患者の動き通知システム。
【請求項１３０】
請求項１２８から１２９のいずれか一項に記載の患者の動き通知システムであって、前記患者付近のエリアを照らす少なくとも１つのライトをさらに備え、前記モニタは、前記受信機が設けられるハウジングをさらに備え、前記少なくとも１つのライトは、前記ハウジングから光を照射するよう、前記ハウジングに設けられ、前記モニタは、前記少なくとも１つのライトを制御し前記患者付近の前記エリアを選択的に照らす、患者の動き通知システム。
【請求項１３１】
請求項１２８から１３０のいずれか一項に記載の患者の動き通知システムであって、前記モニタは、タッチスクリーンディスプレイと、前記受信機及び前記タッチスクリーンディスプレイに接続されたコントローラとをさらに含み、前記コントローラは、前記タッチスクリーンディスプレイから受信した入力に応答して、前記タッチスクリーンディスプレイに表示されたイメージを制御する、患者の動き通知システム。
【請求項１３２】
患者の動き通知システムであって、
患者によって加えられた圧力を検知するための圧力センサと、圧力信号を送信するための送信回路とを含むセンサパッドと、
前記センサパッドから前記圧力信号を受信するための受信機を有するモニタであって、前記患者がもはや前記センサパッドに圧力をかけていないことを前記圧力信号が示す場合、前記圧力信号に応答して患者の動きに関する通知を生成するモニタと、を備え、
前記モニタは、タッチスクリーンディスプレイと、前記受信機及び前記タッチスクリーンディスプレイに接続されたコントローラとをさらに含み、前記コントローラは、前記タッチスクリーンディスプレイから受信した入力に応答して、前記タッチスクリーンディスプレイに表示されたイメージを制御する、患者の動き通知システム。
【請求項１３３】
請求項１３２に記載の患者の動き通知システムであって、
前記患者付近のエリアを照らすための少なくとも１つのライトをさらに備え、
前記コントローラは、前記少なくとも１つのライトを制御し前記患者付近の前記エリアを選択的に照らす、患者の動き通知システム。
【請求項１３４】
請求項１３２から１３３のいずれか一項に記載の患者の動き通知システムであって、
前記患者が居るエリアを選択的に照らす照明をさらに備え、及び
前記患者がもはや前記センサパッドに圧力をかけていないことを前記圧力信号が示す場合、前記圧力信号に応答して、前記エリアを照らす前記照明を制御するために、前記モニタは前記照明に通信可能に接続される、患者の動き通知システム。
【発明の詳細な説明】
【技術分野】
【０００１】
本発明は、一般に、患者の動き通知システム、失禁通知システム、及び患者の動きと失禁を組み合わせた通知システム並びにその構成要素に関する。
【背景技術】
【０００２】
患者の動き通知デバイスは、より優れた支援を提供することができるよう患者の看護人に通知する上で役立つ。このようなデバイスは、転倒による負傷のリスクが高い患者のために、又は立っていられるほど健康ではない患者（術後の患者など）のために使用される。
【０００３】
現在では、患者と、ベッド、椅子、又はトイレとの間に配置された使い捨てセンサと、患者がベッドから出る又は椅子やトイレから立ち上がることで、パッドから圧力が除去された際に、警報が発生するようにセンサに接続する電子モジュールとを含む、このような患者の動き通知デバイスが使用されている。警報は、「ベッドに居て下さい。そして、助けが必要ならば、ナースコールボタンを使用してください」などの録音された音声コマンド、又は看護人が記録を望む他の任意のメッセージでもよい。
【０００４】
既存の患者の動き通知デバイスには、いくつかの欠点がある。欠点の１つは、センサが使い捨てであると見なされ、センサが感圧性であるため、通常は３０日間以下しか使用できないこと、及びセンサに圧力を継続的に適用した後、患者が圧力を除去すると、センサは再び膨張しない虞があることである。しかし、許容される３０日間の耐用期間をはるかに超えてセンサが頻繁に使用される場合が多いように、病院では使用回数を監視することが困難である。別の欠点は、通知が発行された時に、どのセンサパッドが通知を引き起こしたかが常に明らかではないように、既存の患者の動き通知デバイスは、１つのセンサパッドのみを監視するモニタ、又は同じタイプの複数のセンサパッドを監視するモニタを含んでいることである。さらに、既存の患者の動き通知デバイスは、あまりにも頻繁に警報を生成するため、患者及び看護師の迷惑になることがある。
【０００５】
周知の失禁通知デバイスは、患者がベッドで排尿又は排便した際にそれを検出することを目的としている。このような失禁用デバイスは、患者の鼠径部の下に配置され、しばしば、不透水性パッドの上面に設けられる導電性トレースを使用して、水分が検知され次第、警報を発する。このような失禁通知デバイスの不透水性ストリップは、使い捨てであって、尿を吸収する上では役立たない。
【０００６】
現在、失禁通知システム及び患者の動き通知システムは、それぞれ独自のモニタを備えている、別個のシステムである。
【発明の概要】
【０００７】
本発明の一態様によれば、患者の動き通知システムであって、患者によって加えられた圧力を検知するための圧力センサと、第１の無線信号を送信するための送信回路とを含む第１のセンサパッドと、患者によって加えられた圧力を検知するための圧力センサと、第２の無線信号を送信するための送信回路とを含む第２のセンサパッドと、第１及び第２の無線信号を受信するための受信機を有するモニタであって、第１及び第２の無線信号の１つに応答して患者の動きに関する通知を生成するモニタとを備え、第２のセンサパッドは、第１のセンサパッドとは異なるタイプのセンサパッドであり、及び第１及び第２の無線信号は、第１及び第２の無線信号の送信元であるセンサパッドのタイプを識別するタイプコードを含む、患者の動き通知システムが提供される。
【０００８】
本発明の別の態様によれば、患者の動き通知及び失禁通知を提供するための通知システムであって、患者によって加えられた圧力を検知するための圧力センサと、圧力センサに応答して圧力信号を生成するための送信機とを含む圧力センサパッドと、失禁による水分を検知するための失禁センサを含む失禁センサパッドと、失禁センサに応答して水分検出信号を送信するために、失禁センサパッドに関連付けられた送信機と、圧力信号及び水分検出信号を受信するための受信機を含むモニタであって、圧力信号に応答して患者の動きに関する通知を生成する、及び水分検出信号の受信に応じて失禁に関するの通知を生成するモニタと、を備える、通知システムが提供される。
【０００９】
本発明の別の態様によれば、患者の動き通知システムであって、患者によって加えられた圧力を検知するための圧力センサと、第１の無線信号を送信するための送信回路とを含む第１のセンサパッドと、患者によって加えられた圧力を検知するための圧力センサと、第２の無線信号を送信するための送信回路とを含む第２のセンサパッドと、第１及び第２の無線信号を受信するための受信機を有するモニタであって、１及び第２の無線信号の１つに応答して患者の動きに関する通知を生成するモニタとを備え、第１及び第２の無線信号は、第１及び第２の無線信号の送信元であるセンサパッドがアクティブであるかどうかを識別するアクティブコード含む、患者の動き通知システムが提供される。
【００１０】
本発明の別の態様によれば、患者の動き通知システムであって、患者によって加えられた圧力を検知するための圧力センサと、第１の無線信号を送信するための送信回路とを含む第１のセンサパッドと、患者によって加えられた圧力を検知するための圧力センサと、第２の無線信号を送信するための送信回路とを含む第２のセンサパッドと、第１及び第２の無線信号を受信するための受信機を有するモニタであって、第１及び第２の無線信号の１つに応答して患者の動きに関する通知を生成するモニタとを備え、モニタは、ユーザがモニタに、それが受信する無線信号の発信元であるすべてのセンサパッドへの応答を終了させるための入力を含む、患者の動き通知システムが提供される。
【００１１】
本発明の別の態様によれば、患者の動き通知システムであって、患者によって加えられた圧力を検知するための圧力センサと、圧力信号を送信するための送信回路とを含むセンサパッドと、センサパッドから圧力信号を受信するための受信機を有するモニタであって、患者がもはやセンサパッドに圧力をかけていないことを圧力信号が示す場合、圧力信号に応答して患者の動きに関する通知を生成するモニタとを備え、モニタは、複数の入力と、複数の入力に接続されるコントローラとを備え、コントローラは、患者の介護者による複数の入力のうちの少なくとも１つの同時起動に応じて、出荷時の初期設定状態にリセットするよう構成されている、患者の動き通知システムが提供される。
【００１２】
本発明の別の態様によれば、患者の活動通知システム用センサデバイスであって、患者の活動を検知するセンサと、２つの電気接点が互いに向かってバイアスされるスロットを含むハウジングと、スロットに取り外し可能に配置されて、２つの電気接点間に延びる電線に接続するキルタブであって、電線は２つの接点間に電流を流すことを可能にし、キルタブがスロットから取り外されると、電流が２つの電気接点を流れることができないように、電線は２つの電気接点の少なくとも１つから引き出される、キルタブと、センサによって検知された患者の活動に応じて患者の活動信号を生成するかどうかを決定するために、センサに接続されるコントローラと、を備え、２つの電気接点の少なくとも１つは、コントローラに接続され、コントローラは、２つの電気接点に電流が流れているかどうかを検知し、及びコントローラは、電流が２つの電気接点を流れていないことを検知すると、コントローラは、シャットダウンルーチンを実行し、その後、センサデバイスの機能を終了するために、追加のステップ又は命令を実行しなくなる、患者の活動通知システム用センサデバイスが提供される。
【００１３】
本発明の別の態様によれば、患者の動き通知システムであって、患者によって加えられた圧力を検知するための圧力センサと、圧力信号を送信するための送信回路とを含むセンサパッドと、センサパッドから圧力信号を受信するための受信機を有するモニタであって、患者がもはやセンサパッドに圧力をかけていないことを圧力信号が示す場合、圧力信号に応答して患者の動きに関する通知を生成するモニタとを備え、モニタは、保持入力であって、患者の介護者が、患者をセンサパッドから一時的に外せるようにするために、患者の介護者によって保持入力が起動された後、第１の所定時間の間、センサパッドからの圧力信号に応答して患者の動きに関する通知が生成されることを、患者の介護者が阻止できるようにするための保持入力を含む、患者の動き通知システムが提供される。
【００１４】
本発明の別の態様によれば、失禁警告システムであって、失禁による水分を検知するための水分センサを含むセンサパッドと、失禁センサに応答して水分検出信号を送信するために、センサパッドに関連付けられた送信機と、水分検出信号を受信するための受信機を有するモニタであって、水分検出信号の受信に応じて失禁に関する通知を生成するモニタとを備え、モニタは、保持入力であって、失禁イベントに対処するため患者の介護者が時間を延長できるようにするために、患者の介護者によって保持入力が起動された後、第１の所定時間の間、センサパッドからの水分検出信号に応答して失禁に関する通知が生成されることを、患者の介護者が阻止できるようにするための保持入力を含む、失禁警告システムが提供される。
【００１５】
本発明の別の態様によれば、患者の動き通知システムであって、患者によって加えられた圧力を検知するための圧力センサと、第１の無線信号を送信するための送信回路とを含む第１のセンサパッドと、患者によって加えられた圧力を検知するための圧力センサと、第２の無線信号を送信するための送信回路とを含む第２のセンサパッドと、第１及び第２の無線信号を受信するための受信機を有するモニタであって、第１及び第２の無線信号の１つに応答して患者の動きに関する通知を生成するモニタと、モニタに関連付けられ、モジュールＩＤコードを含む取り外し可能なキーモジュールを備え、第１及び第２のセンサパッドはそれぞれ、取り外し可能なキーに電気的に接続するためのコネクタを含み、第１及び第２のセンサパッドは、取り外し可能なキーからモジュールＩＤコードを受信し、その後、第１及び第２の無線信号にモジュールＩＤコードを加える、患者の動き通知システムが提供される。
【００１６】
本発明の別の態様によれば、患者の動き通知システムであって、患者によって加えられた圧力を検知するための圧力センサと、圧力信号を送信するための送信回路とを含むセンサパッドと、センサパッドから圧力信号を受信するための受信機を有するモニタであって、患者がもはやセンサパッドに圧力をかけていないことを圧力信号が示す場合、圧力信号に応答して患者の動きに関する通知を生成するモニタとを備え、モニタは、少なくとも１つのユーザ入力、スピーカ、及び受信機、ユーザ入力、スピーカに接続されたコントローラをさらに含み、コントローラは、ユーザ入力から受信した入力に応答し、スピーカを制御して、ユーザ入力の起動に関する確認音又は事前に記録された音声確認を再生する、患者の動き通知システムが提供される。
【００１７】
本発明の別の態様によれば、失禁検知システムであって、失禁センサパッドであって、その表面の末端部まで延びる第１及び第２の導電性トレースを表面に有する失禁センサパッドと、失禁センサパッドの表面の末端部に取り外し可能に取り付けられた失禁電子モジュールであって、第１及び第２の導電性トレースへの電気接続を形成するための電気接点と、第１及び第２の導電性トレースにわたって水分を検知するため、及び水分が検知されると失禁警報信号を生成するために電気接点に接続される回路とを含む失禁電子モジュールとを備える、失禁検知システムが提供される。
【００１８】
本発明の別の態様によれば、失禁検知パッドであって、表面を有する基材と、基材の表面上の第１の導電性トレースであって、第１の導電性トレースは、第１の複数の交互嵌合導電性延長部に接続された第１の導電性バスを含み、第１の導電性バスは、表面の末端部まで延びる、第１の導電性トレースと、基材の表面上の第２の導電性トレースであって、第２の導電性トレースは、第２の複数の交互嵌合導電性延長部に接続された第２の導電性バスを含み、第２の導電性バスは、表面の末端部まで延びる、第２の導電性トレースとを備える、失禁検知パッドが提供される。
【００１９】
本発明の別の態様によれば、失禁チャックであって、表面を有する基材と、基材の表面の少なくとも一部にわたって配置された吸収材とを備え、吸収材は、看護人が、色が変化した吸収材のサイズに基づいて、吸収された水分の相対量を決定できるように、吸収された水分に応じて色を変える色変化材料を含む、失禁チャックが提供される。
【００２０】
本発明の別の態様によれば、失禁検知システムであって、失禁センサパッドであって、その表面の末端部まで延びる第１及び第２の導電性トレースを表面に有する失禁センサパッドと、失禁センサパッド上に横たわる患者の体温を検知するための温度センサと、失禁センサパッドの表面の末端部に取り付けられた失禁電子モジュールであって、第１及び第２の導電性トレースへの電気接続を形成するための電気接点と、第１及び第２の導電性トレースにわたって水分を検知するため、及び水分が検知されると失禁警報信号を生成するために電気接点に接続される回路とを含む失禁電子モジュールとを備え、回路は、検知回路によって検知された体温が閾値体温に達すると、床ずれ事前警告信号を生成する、失禁検知システムが提供される。
【００２１】
本発明の別の態様によれば、患者の動き通知システムであって、患者によって加えられた圧力を検知するための圧力センサと、圧力信号を送信するための送信回路とを含むセンサパッドと、センサパッドから圧力信号を受信するためのモニタトランシーバを有するモニタであって、患者がもはやセンサパッドに圧力をかけていないことを圧力信号が示す場合、圧力信号に応答して患者の動きに関する通知を生成するモニタと、モニタトランシーバとの双方向通信を提供するためのナースコールトランシーバを有するナースコール中継装置とを備え、モニタトランシーバは、ナースコールトランシーバに通知信号を送信し、ナースコールトランシーバは、モニタトランシーバに定期的なステータス信号を送信する、患者の動き通知システムが提供される。
【００２２】
本発明の別の態様によれば、患者の動き通知システムであって、患者をトイレに固定するための便座ベルトであって、患者を固定するために便座ベルトの２つの部分を接続する取り外し可能クリップと、取り外し可能クリップが便座ベルトの２つの部分を接続しているかどうかを検知するためのクリップセンサとを含む、便座ベルトと、クリップセンサは、取り外し可能クリップが便座ベルトの２つの部分を接続していることを、取り外し可能クリップがもはや検知しないことを検出すると、警報信号を生成するための信号発生器とを備える、患者の動き通知システムが提供される。
【００２３】
本発明の別の態様によれば、患者の動き通知システムであって、患者によって加えられた圧力を検知するための圧力センサと、圧力信号を送信するための送信回路とを含むセンサパッドと、センサパッドから圧力信号を受信するためのモニタトランシーバを有するモニタであって、患者がもはやセンサパッドに圧力をかけていないことを圧力信号が示す場合、圧力信号に応答して患者の動きに関する通知を生成するモニタと、患者の動きを検出するためにモニタと通信するモーションセンサとを備え、モニタは、最後に検出された動きからの期間を追跡し、モーションセンサが少なくとも閾値期間にわたって患者の動きを検出しない場合、動き無しの通知を生成する、患者の動き通知システムが提供される。   
【００２４】
本発明の別の態様によれば、患者の動き通知システムであって、患者によって加えられた圧力を検知するための圧力センサと、圧力信号を送信するための送信回路とを含むセンサパッドと、センサパッドから圧力信号を受信するためのモニタトランシーバを有するモニタであって、患者がもはやセンサパッドに圧力をかけていないことを圧力信号が示す場合、圧力信号に応答して患者の動きに関する通知を生成するモニタとを備え、患者の動きに関する通知は、看護人のモバイル通信機器に送信される、患者の動き通知システムが提供される。
【００２５】
本発明の別の態様によれば、失禁警告システムであって、失禁による水分を検知するための水分センサを含むセンサパッドと、失禁センサに応答して水分検出信号を送信するために、センサパッドに関連付けられた送信機と、水分検出信号を受信するための受信機を有するモニタであって、水分検出信号の受信に応じて失禁に関する通知を生成するモニタとを備え、失禁に関する通知は、看護人のモバイル通信機器に送信される、失禁警告システムが提供される。
【００２６】
本発明の別の態様によれば、患者の動き通知システムであって、患者によって加えられた圧力を検知するための圧力センサと、圧力信号を送信するための送信回路とを含むセンサパッドと、センサパッドから圧力信号を受信するための受信機と、受信機に接続されるコントローラとを有するモニタであって、コントローラは、患者がもはやセンサパッドに圧力を加えていないことを圧力信号が示すかどうかを判定し、患者がもはやセンサパッドに圧力をかけていないことを圧力信号が示す場合、圧力信号に応答して患者の動きに関する通知を生成する、モニタと、患者付近のエリアを照らすための少なくとも１つのライトとを備え、コントローラは、少なくとも１つのライトを制御し患者付近のエリアを選択的に照らす、患者の動き通知システムが提供される。
【００２７】
本発明の別の態様によれば、患者の動き通知システムであって、患者によって加えられた圧力を検知するための圧力センサと、圧力信号を送信するための送信回路とを含むセンサパッドと、患者が居るエリアを選択的に照らす照明と、センサパッドから圧力信号を受信するための受信機を有するモニタであって、患者がもはやセンサパッドに圧力をかけていないことを圧力信号が示す場合、圧力信号に応答して患者の動きに関する通知を生成するモニタとを備え、患者がもはやセンサパッドに圧力をかけていないことを圧力信号が示す場合、圧力信号に応答して、エリアを照らす照明を制御するために、モニタが照明に通信可能に接続される、患者の動き通知システムが提供される。
【００２８】
本発明の別の態様によれば、患者の動き通知システムであって、 患者によって加えられた圧力を検知するための圧力センサと、圧力信号を送信するための送信回路とを含むセンサパッドと、センサパッドから圧力信号を受信するための受信機を有するモニタであって、患者がもはやセンサパッドに圧力をかけていないことを圧力信号が示す場合、圧力信号に応答して患者の動きに関する通知を生成するモニタとを備え、モニタは、タッチスクリーンディスプレイと、受信機及びタッチスクリーンディスプレイに接続されたコントローラとをさらに含み、コントローラは、タッチスクリーンディスプレイから受信した入力に応答して、タッチスクリーンディスプレイに表示されたイメージを制御する、患者の動き通知システムが提供される。
【００２９】
本発明のこれらの及び他の特徴、利点、及び目的は、当業者であれば、以下の明細書、請求項、及び添付の図面を参照することによって、さらに理解及び把握されよう。
【図面の簡単な説明】
【００３０】
【図１】図１は、本明細書で説明される通知システムが実装され得る医療施設の一部を示す斜視図である。
【図２】図２は、本明細書で説明される通知システムの構成要素を示す斜視図である。
【図３】図３は、図２に示される通知システムのモニタを示す斜視図である。
【図４】図４は、図３に示されるモニタの電気回路のブロック図である。
【図５】図５は、図２に示される通知システムのベッド圧力センサパッドを示す斜視図である。
【図６】図６は、図２に示される通知システムの椅子圧力センサパッドを示す斜視図である。
【図７】図７は、図２に示される通知システムのトイレ圧力センサパッドを示す斜視図である。
【図８Ａ】図８Ａは、図５〜図７に示されるベッド、椅子、又はトイレ圧力センサパッドのいずれか１つの端部のクローズアップである。
【図８Ｂ】図８Ｂは、電子キーを備えた、図５〜図７に示されるベッド、椅子、又はトイレ圧力センサパッドのいずれか１つの端部の別のクローズアップである。
【図９】図９は、図５〜図７に示されるベッド、椅子、又はトイレ圧力センサパッドのいずれか１つの圧力センサパッド電子回路のブロック図である。
【図１０】図１０は、失禁センサパッドの電子回路又図２の通知システムに使用される失禁センサパッド用クイックコネクタのブロック図である。
【図１１】図１１は、図２の通知システムに使用される中継装置のナースコール電子回路のブロック図である。
【図１２】図１２は、図２の通知システムに使用される電子キーの前部を示す斜視図である。
【図１３】図１３は、図１２に示される電子キーの後部を示す斜視図である。
【図１４】図１４は、図２の通知システムに使用されるナースコール中継装置の前部を示す斜視図である。
【図１５】図１５は、図１４のナースコール中継装置の後部を示す斜視図である。
【図１６】図１６は、図３に示されるモニタの前部及び取り付けプレートの前部を示す斜視図である。
【図１７】図１７は、図１６に示されるモニタ及び取り付けプレートの後部を示す斜視図である。
【図１８Ａ】図１８Ａは、図３の通知システムで使用される失禁センサパッドの第１実施例を示す分解斜視図である。
【図１８Ｂ】図１８Ｂは、図３の通知システムで使用される失禁センサパッドの第２実施例を示す分解斜視図である。
【図１９】図１９は、失禁センサパッドの端末側終端、電子キー、及び図１８に示される失禁センサパッドの端末側終端に接続する無線モジュールを示すクローズアップ斜視図である。
【図２０】図２０は、図１９の無線モジュールを示す斜視図である。
【図２１】図２１は、図１８に示される失禁センサパッド及び、失禁センサパッドの端末側終端に接続する有線モジュールを示す斜視図である。
【図２２】図２２は、図２１に示される失禁センサパッドの端末側終端及び、有線モジュールを示すクローズアップ斜視図である。
【図２３】図２３は、図２１及び図２２に示される有線モジュールからのプラグを備えた、図３に示されるモニタの前部及び底部を示す斜視図である。
【図２４】図２４は、図１８Ａまたは図１８Ｂに示される失禁センサパッドの端末側終端に接続する、閉じ位置にあるクイックコネクタ無線モジュールを示す斜視図である。
【図２５】図２５は、図２４に示される、開位置にあるクイックコネクタ無線モジュールを示す斜視図である。
【図２６】図２６は、係止ピンが延出された状態で、開位置にある、図２４に示される無線モジュールの側面図である。
【図２７】図２７は、係止ピンが格納された状態で、開位置にある、図２４に示される無線モジュールの側面図である。
【図２８Ａ】図２８Ａは、図１８Ｂに示される失禁センサパッド上で使用され得る導電性トレースの構成の様々な例を示す図である。
【図２８Ｂ】図２８Ｂは、図１８Ｂに示される失禁センサパッド上で使用され得る導電性トレースの構成の様々な例を示す図である。
【図２８Ｃ】図２８Ｃは、図１８Ｂに示される失禁センサパッド上で使用され得る導電性トレースの構成の様々な例を示す図である。
【図２８Ｄ】図２８Ｄは、図１８Ｂに示される失禁センサパッド上で使用され得る導電性トレースの構成の様々な例を示す図である。
【図２８Ｅ】図２８Ｅは、図１８Ｂに示される失禁センサパッド上で使用され得る導電性トレースの構成の様々な例を示す図である。
【図２８Ｆ】図２８Ｆは、図１８Ｂに示される失禁センサパッド上で使用され得る導電性トレースの構成の様々な例を示す図である。
【図２８Ｇ】図２８Ｇは、図１８Ｂに示される失禁センサパッド上で使用され得る導電性トレースの構成の様々な例を示す図である。
【図２８Ｈ】図２８Ｈは、図１８Ｂに示される失禁センサパッド上で使用され得る導電性トレースの構成の様々な例を示す図である。
【図２８Ｉ】図２８Ｉは、図１８Ｂに示される失禁センサパッド上で使用され得る導電性トレースの構成の様々な例を示す図である。
【図２８Ｊ】図２８Ｊは、図１８Ｂに示される失禁センサパッド上で使用され得る導電性トレースの構成の様々な例を示す図である。
【図２８Ｋ】図２８Ｋは、図１８Ｂに示される失禁センサパッド上で使用され得る導電性トレースの構成の様々な例を示す図である。
【図２８Ｌ】図２８Ｌは、図１８Ｂに示される失禁センサパッド上で使用され得る導電性トレースの構成の様々な例を示す図である。
【図２８Ｍ】図２８Ｍは、図１８Ｂに示される失禁センサパッド上で使用され得る導電性トレースの構成の様々な例を示す図である。
【図２９】図２９は、導電性トレースが印刷された基板のロールの上面図であって、該基板のロールから図１８Ｂに示される失禁センサパッドで使用するために基板が切断される。
【図３０Ａ】図３０Ａは、図１８Ｂに示される失禁センサパッド上で使用され得る導電性トレースの導電性バスの構成の様々な例を示す図である。
【図３０Ｂ】図３０Ｂは、図１８Ｂに示される失禁センサパッド上で使用され得る導電性トレースの導電性バスの構成の様々な例を示す図である。
【図３０Ｃ】図３０Ｃは、図１８Ｂに示される失禁センサパッド上で使用され得る導電性トレースの導電性バスの構成の様々な例を示す図である。
【図３０Ｄ】図３０Ｄは、図１８Ｂに示される失禁センサパッド上で使用され得る導電性トレースの導電性バスの構成の様々な例を示す図である。
【図３０Ｅ】図３０Ｅは、図１８Ｂに示される失禁センサパッド上で使用され得る導電性トレースの導電性バスの構成の様々な例を示す図である。
【図３０Ｆ】図３０Ｆは、図１８Ｂに示される失禁センサパッド上で使用され得る導電性トレースの導電性バスの構成の様々な例を示す図である。
【図３０Ｇ】図３０Ｇは、図１８Ｂに示される失禁センサパッド上で使用され得る導電性トレースの導電性バスの構成の様々な例を示す図である。
【図３０Ｈ】図３０Ｈは、図１８Ｂに示される失禁センサパッド上で使用され得る導電性トレースの導電性バスの構成の様々な例を示す図である。
【図３０Ｉ】図３０Ｉは、図１８Ｂに示される失禁センサパッド上で使用され得る導電性トレースの導電性バスの構成の様々な例を示す図である。
【図３０Ｊ】図３０Ｊは、図１８Ｂに示される失禁センサパッド上で使用され得る導電性トレースの導電性バスの構成の様々な例を示す図である。
【図３０Ｋ】図３０Ｋは、図１８Ｂに示される失禁センサパッド上で使用され得る導電性トレースの導電性バスの構成の様々な例を示す図である。
【図３０Ｌ】図３０Ｌは、図１８Ｂに示される失禁センサパッド上で使用され得る導電性トレースの導電性バスの構成の様々な例を示す図である。
【図３０Ｍ】図３０Ｍは、図１８Ｂに示される失禁センサパッド上で使用され得る導電性トレースの導電性バスの構成の様々な例を示す図である。
【図３０Ｎ】図３０Ｎは、図１８Ｂに示される失禁センサパッド上で使用され得る導電性トレースの導電性バスの構成の様々な例を示す図である。
【図３０Ｏ】図３０Ｏは、図１８Ｂに示される失禁センサパッド上で使用され得る導電性トレースの導電性バスの構成の様々な例を示す図である。
【図３０Ｐ】図３０Ｐは、図１８Ｂに示される失禁センサパッド上で使用され得る導電性トレースの導電性バスの構成の様々な例を示す図である。
【図３０Ｑ】図３０Ｑは、図１８Ｂに示される失禁センサパッド上で使用され得る導電性トレースの導電性バスの構成の様々な例を示す図である。
【図３０Ｒ】図３０Ｒは、図１８Ｂに示される失禁センサパッド上で使用され得る導電性トレースの導電性バスの構成の様々な例を示す図である。
【図３０Ｓ】図３０Ｓは、図１８Ｂに示される失禁センサパッド上で使用され得る導電性トレースの導電性バスの構成の様々な例を示す図である。
【図３０Ｔ】図３０Ｔは、図１８Ｂに示される失禁センサパッド上で使用され得る導電性トレースの導電性バスの構成の様々な例を示す図である。
【図３１Ａ】図３１Ａは、図１８Ｂに示される失禁センサパッド上に印刷され得るグリッドマークの例を示す図である。
【図３１Ｂ】図３１Ｂは、図１８Ｂに示される失禁センサパッド上に印刷され得るグリッドマークの例を示す図である。
【発明を実施するための形態】
【００３１】
ここでは、本発明の好ましい実施形態を詳細に参照し、その例は、添付の図面に示される。可能な限り、同じ又は同様の部品を指すために、図面全体を通じて同じ参照番号を使用する。図面では、描写される構造要素は、原寸に比例しておらず、ある特定の構成要素は、強調や理解の目的で、他の構成要素に対して拡大される。
【００３２】
本明細書では、通知システムの様々な実施形態について説明する。いくつかの実施形態では、通知システムは、患者の動きが検知され次第、通知を発行する。他の実施形態では、通知システムは、患者の失禁が検知され次第、通知を発行する。さらなる他の実施形態では、通知デバイスは、患者の動き及び／又は患者の失禁が検知され次第、通知を発行する。各実施形態では、通知システムは、少なくとも１つのセンサパッド及びモニタを含む。センサパッド及びモニタの構成は、実施形態ごとに異なっていてもよい。
【００３３】
図１は、バスルーム３を備えた少なくとも１つの病室２を有するケアセンタ１の一部の例を示す。また、図１は、図２とともに、ケアセンタ１で使用され得る通知システムの例を示す。ケアセンタ１は、ナースコール／監視システム８を有する看護ステーション４をさらに含んでいてもよい。本明細書で使用されるように、ケアセンタ１は、病院若しくは他の医療施設であってもよく、又は介護付き住居センタ、養護施設、若しくはホスピスなどであってもよい。しかし、本明細書で説明される実施形態は、このような施設での使用に限定されず、転倒を防ぐために居住者を監視する必要がある住宅、又は看護人が居住者による失禁イベントに注意する必要がある住宅でも使用される場合があることを理解されたい。
【００３４】
図示のように、病室は、ベッド５及び車いすであってもよい、椅子６を含んでいてもよい。バスルーム３は、トイレ７を含むことができる。図１から明らかなように、部屋２の患者は、ベッド５又は椅子６のいずれかで休んでいるか、トイレ７に座っている可能性がある。患者がこれらの場所のいずれか１つにいて、必要な支援なしに起き上がり、これらの場所のいずれか１つから移動しようとすると、転倒による負傷の危険がある。したがって、通知システム１０は、患者がこれらの場所の１つから移動しようとしている時を検知し、移動しようとしないように患者に警告するために提供される。通知システム１０はさらに、患者が動こうとしていることを看護師に通知してもよい。
【００３５】
患者の移動の試み及び／又は失禁などのイベントを監視するために、病室２内の壁、椅子、ベッドに，又は病室外に取り付けられるモニタ１５と通信する少なくとも１つのセンサパッド（１００ａ、１００ｂ、１００ｃ、１００ｄ）が提供される。少なくとも１つのセンサパッド（１００ａ、１００ｂ、１００ｃ、１００ｄ）は、ベッド圧力センサパッド１００ａ、椅子圧力センサパッド１００ｂ、便座圧力センサパッド１００ｃ（及び／又は便座ベルト１００ｅ（図２））、及び／又は失禁センサパッド１００ｄを含むことができる。失禁センサパッド１００ｄは、ベッド５又は椅子６に設置されてもよい。以下でさらに説明するように、モニタ１５は、各タイプの１つのセンサパッドとのみ通信するように構成されてもよい。つまり、モニタ１５は、１つのベッド圧力センサパッド１００ａ、１つの椅子圧力センサパッド１００ｂ、１つのトイレ圧力センサパッド１００ｃ、１つの失禁センサパッド１００ｄ、及び１つの便座ベルト１００ｅのみと通信するように構成されてもよい。同様に、ナースコール中継装置２００は、１つのモニタ１５のみと通信するように構成されてもよい。例えば、患者の動き通知システム１０は、患者によって加えられた圧力を検知するための圧力センサ１２５（図９）と、第１の無線信号を送信するための送信回路１２７とを含む第１のセンサパッド（例えば、１００ａ）と、患者によって加えられた圧力を検知するための圧力センサ１２５と、第２の無線信号を送信するための送信回路１２７とを含む第２のセンサパッド（例えば、１００ｂ）と、第１および第２の無線信号を受信する受信機（又はトランシーバ８０、図４）を有し、第１および第２の無線信号の１つに応答して患者の動きの通知を生成するモニタ１５と、を備え得る。第２のセンサパッド（例えば、１００ｂ）は、第１のセンサパッド（例えば、１００ａ）とは異なるタイプのパッドであり、第１及び第２の無線信号は、第１及び第２の無線信号の送信元である第１及び第２のセンサパッドのタイプを識別するタイプコードを含む。
【００３６】
第１及び第２の無線信号は、第１及び第２の無線信号の送信元であるセンサパッドがアクティブであるかどうかを識別するアクティブコードを含んでもよい。「アクティブ」とは、患者が現在センサパッドに圧力を加えていることを意味する。どの圧力センサパッドがアクティブであるかを知ることにより、モニタ１５は、以下でさらに説明するように、所定の期間にわたってアクティブ圧力センサパッドによって圧力が検知されない場合、通知を発してもよい。
【００３７】
患者の動きと失禁を組み合わせた通知システムにおいては、患者の動き通知及び失禁通知を提供するための通知システム１０の例は、患者によって加えられた圧力を検知するための圧力センサ１２５（図９）と、圧力センサ１２５に応答して圧力信号を生成するための送信機１２７とを含む圧力センサパッド（例えば、１００ａ、１００ｂ、１００ｃの１つ）と、失禁による水分を検知するための失禁センサ１００ｄであって、水分センサ１４５（図１０）と、水分センサ１４５に応答して水分検出信号を送信する送信機１４７とを含む失禁センサ１００ｄと、圧力信号及び水分検出信号を受信するための受信機（又はトランシーバ８０、図４）を含むモニタ１５であって、圧力信号に応答して患者の動きに関する通知を生成する、及び水分検出信号の受信に応じて失禁に関するの通知を生成するモニタ１５と、を備える。圧力信号及び水分検出信号は、信号の送信元であるセンサパッドのタイプを識別するタイプコードを含む。信号が圧力パッド又は失禁センサパッドから送信されてくるのかを知ることにより、モニタ１５は、このような信号に応じて別々に応答することができる。さまざまな応答の例については、以下でさらに説明される。
【００３８】
図１に示すように、モニタ１５から無線信号を受信するナースコール中継装置２００も備えられていてもよく、ナースコール中継装置は、既存のナースコール配線システム２０４を使用する看護ステーション４のナースコール／監視システム８に信号を送信することで、このような無線信号に応答し得る。以下に説明するように、ナースコール中継装置２００は、既存のナースコール配線システム２０４の既存の壁ポートに差し込むためのプラグを有してもよく、既存のナースコールボタン２０２のプラグを受け入れるためのレセプタクルを有してもよい。このように、ナースコール中継装置２００は、既存のナースコールボタン２０２の機能を阻害することなく、既存のナースコール配線システム２０４を使用することができる場合がある。ナースコール中継装置２００の追加の詳細は、図１１、１４、及び１５を参照して以下で説明される。
【００３９】
通知システム１０はまた、ベッド５からバスルーム３への経路を照らすために配置することができる１つ以上の照明２５０を含んでいてもよい。モニタ１５は、このような照明２５０に信号を送り、照明にこの経路を照らさせるように構成されてもよい。例えば、患者がベッドから出ようとしたことがベッド圧力センサパッド１００ａを介して検出されると、モニタは，患者がバスルームへの経路をよりよく見ることができるように、照明２５０を点灯させる。モニタ１５は、既存の無線照明制御技術を使用して、部屋２又はバスルーム３内の他の照明を照らすように構成され得ることに留意されたい。また、以下に説明するように、モニタ１５は、モニタ１５から部屋２の床に向けて光９（図１、２、及び４）を投射するための１つ又は複数の照明光８４を含んでいてもよい。
【００４０】
モニタ１５は、図３に示すように、電子機器（後述される）及び少なくとも１つのバッテリ５０（図４）を含むハウジング２０を含むよう構成されてもよい。ハウジング２０内に含まれ得る電子機器は、図４に示されている。図に示すように、モニタ１５は、図２１から図２３に示される失禁センサパッド１００ｄなどのセンサパッドから延びるワイヤのプラグ端部を受容するコネクタレセプタクルであってもよいセンサポート７９を含む。電子機器は、音声録音を保存し、アクティブなセンサパッドからの信号に応答して、患者が動いていると判定すると音声録音を再生できる任意の形式の回路を取ることができる。これにより、電子機器は、マイクロホン６０、スピーカ６５、リセットプッシュボタン６７ａ、ホールドプッシュボタン６７ｂ、ステータスプッシュボタン６７ｃ、レコードプッシュボタン６７ｄ、コントローラ７０（マイクロプロセッサ、デジタル信号プロセッサ、又は個別電子部品でもよい）、メモリ７５（マイクロプロセッサの内部メモリ）、ボイスレコーダ７６、オーディオアンプ７７、センサパッドに接続するためのセンサポート７９、１つ又は複数の電池５０、トランシーバ８０、インジケータライト７８、キーポート８２、照明光８４、オプションのナースコールポート９０（図１７及び２３）、及び例えば、ＵＳＢ又はマイクロＵＳＢポート又はプラグなどのデータポート９１（図１７及び２３）を含んでいてもよい。
【００４１】
トランシーバ８０は、ナースコール中継装置２００を介して、又は直接（装備されている場合）、ナースコール／監視システム８に情報（警報及び他のデータを含んでいてもよい）を送信するように構成されてもよい。トランシーバ８０はまた、直接又はルータ若しくはナースコール／監視システム８を介して、情報をモバイル通信機器２５０（図２）に送信するように構成されてもよい。本明細書で使用される「モバイル通信機器」は、スマートフォン、スマートウォッチ、ポケットベル、携帯電話などを含み得る。この情報は、その後、医療施設の自動記録データベースに格納、又はその他の方法で、看護ステーション４に格納、及び／又はクラウドストレージサーバ若しくはモニタ１５に保存され得る。情報には、時刻及び日付のスタンプで表示される、患者に失禁イベントが発生したという警告、患者がベッドから出る、椅子や車椅子から降りる、又はトイレから出るという警告、警告の発行日時及び患者がベッドや椅子に戻った日時、スタッフがインシデント警告に対応するのにかかった時間、実行されたアクション、その警告に関係するパッドのタイプ（例えば、ベッド、椅子、トイレ、失禁）、部屋番号、パッド紛失の警告、センサパッドの寿命が近づいていることを示す警告の１つ又は複数が含まれる場合がある。時刻及び日付のスタンプは、情報の受信側で生成され、記録データベースに保存されてもよい。記録データベースは、Ｃｅｒｎｅｒ（登録商標）又はＥＰＩＣ（登録商標）記録データベースなどのデータベースであってもよい。このような失禁に関係する情報を保存することによって、システムは、監査可能であり得る。記録され得る他のデータには、有効期限の警告と任意のパッドタイプの実際の有効期限、電源の完全喪失又はモニタのシャットダウン、及びすべての構成要素（モニタ、パッド、ナースコール中継装置、及び他のすべての周辺デバイスを含む）の低バッテリ閾値が含まれてもよい。
【００４２】
したがって、トランシーバ８０は、スタッフが適切な行動を取ることができるよう、患者又は部屋及び警告を識別する適切な警報信号を看護ステーション４で生成するように、看護ステーション警報交換機と通信することができる。
【００４３】
コントローラ７０はまた、履歴情報をメモリ７５に格納してもよい（又は別の方法で、必要な情報を看護ステーション４に送信する、及び／又は履歴情報を格納できるようにデータベースを記録する）。このような履歴情報は、患者が過去に失禁に苦しんでいる、及び／又はベッドから出る若しくはベッドから出ようとする１日のうちの時間を含んでもよい。この履歴情報を追跡することによって、看護師は、携帯電話テキスト又は他の警報機構を介してモバイル通信機器２５０に警告を送信し、失禁イベントを完全に回避するよう、それらの履歴時間の直前に患者を確認することができる。
【００４４】
一部の施設では、ビデオ監視を使用して、患者がベッドから出た時、又は出ようとしている時を確認することができる。この手法は効果的であるが、多くの場合、１人で見るにはモニタが多すぎる。ビデオ監視システムと併せて通知システム１０を使用することによって、例えば転倒防止警報が発せられた時、看護師又はビデオモニタを見ている他の人に、特定の患者を見るよう警告することができる。患者がベッドから出た場合、又は出ようとしている場合、看護師をその部屋に送ることができる。しかし、患者が転倒防止警報を発するためにベッドに移動しただけの場合、ビデオモニタを見ている人は、看護師が直接対応する必要はなく、単に警報をリモートでリセットする必要があることが分かり得る。これは、そうでなければ看護スタッフのかなりの時間を費やしていたであろう誤った通知を削減する。
【００４５】
図３に示すように、モニタ１５は、複数のインジケータライト７８ａ〜７８ｇを含んでもよい。第１インジケータライト７８ａは、失禁センサパッド１００ｄ、便座ベルト１００ｅ、又は他の周辺装置であってもよい補助（ＡＵＸ）装置との接続状態を示す。第２インジケータライト７８ｂは、椅子圧力センサパッド１００ｂとの接続状態を示す。第３インジケータライト７８ｃは、ナースコール中継装置２００との接続状態を示す。第４インジケータライト７８ｄは、トイレ圧力センサパッド１００ｃとの接続状態を示す。第５インジケータライト７８ｅは、ベッド圧力センサパッド１００ａとの接続状態を示す。インジケータライト７８ｆ及び７８ｇを使用して、モニタ１５の電源投入時、記録中、通知／警報イベントがある時、どのパッドがアクティブであるか、及び／又は警報が保持された時を示すことができる。ライト７８ｆ及び７８ｇを使用して、データが転送されている時を示すこともできる。
【００４６】
モニタ１５は、任意でタッチスクリーンディスプレイ８６（図４）を含んでもよく、これにより、様々なプッシュボタン及びインジケータライトの補足が可能になる、或はそれらに取って代わることができる。ディスプレイ８６はまた、患者と看護人との専用の対面ビデオ会議を可能にするのに使用される場合がある。コントローラ７０は、タッチスクリーンディスプレイ８６に接続されて、そこから入力を受け取り、そこに表示される情報を変更する。
【００４７】
また、モニタ１５は、看護人によるビデオ監視を可能にする統合ビデオカメラ８８を含んでもよい。システム１０は、通知イベントが発生した時、又は看護人によって要求された時にのみ、カメラ８８からのビデオが看護人にストリーミング配信されるよう構成されてもよい。イベントを検出すると１つ又は複数のライトを点けることによって、カメラ８８は、夜間に動画をよりよく保存できるようになる。カメラ８８からの動画は、任意のタイプのモバイル通信機器２５０（図２）にストリーミング配信され得る。
【００４８】
モニタ１５は、オプションのナースコールポート９０（図１７及び図２３）をさらに備えてもよく、これにより、ナースコール中継装置２００を必要とすることなく、モニタ１５がナースコール／監視システム８と直接通信できるように、簡単なホッパーコードをモニタ１５に差し込み、他方の端をナースコール配線システム２０４に差し込むことができる。
【００４９】
モニタ１５は、モニタ１５の底面又は背面にある場合があるデータポート９１（図１７及び図２３）をさらに含んでもよい。データポート９１は、センサパッド１００ａ〜１００ｃの電子モジュール１１０及び失禁パッド１００ｄの電子モジュール１３０への直接接続を容易にする。データポートを更新及び診断又は他の機能に使用することも可能である。
【００５０】
図１７に示すように、モニタ１５はまた、オプションとして、動作モードを設定できるようにするためのスイッチ９５と、ユーザが警報の音を調整できるようにするためのスイッチ９６とを含んでもよい。
【００５１】
図４及び１７に示すように、モニタ１５はまた、交流電力から外れるように、交流電力ポート９３及び交流／直流コンバータ電源９４を含んでもよい。
【００５２】
動き通知信号又は失禁イベント通知信号を患者の看護人（又は看護師）のモバイル通信機器２５０に送信できることにさらに留意されたい。このような通知信号は、モニタ１５から直接、失禁センサパッド、ベッド内センサ、おむつ、若しくは下着から、又はナースコール中継装置２００、ナースコール／監視システム８、若しくはルータを介して前述のデバイスから直接送信され得る。具体的に、通知信号は、
１．センサパッド１００ａ〜１００ｄから直接モニタ１５まで、
２．センサパッド１００ａ〜１００ｄから直接ナースコール中継装置２００へ、ナースコール／監視システム８まで、
３．センサパッド１００ａ〜１００ｄから直接ナースコール／監視システム８まで、
４．センサパッド１００ａ〜１００ｄから直接モバイル通信機器２５０まで、
５．センサパッド１００ａ〜１００ｄから直接ホームハブ（つまり、ＡｍａｚｏｎＥｃｈｏ（登録商標）、ＡｐｐｌｅＨｏｍｅＰｏｄ（登録商標）、又はＧｏｏｇｌｅＨｏｍｅ（登録商標））まで、
６．センサパッド１００ａ〜１００ｄからモニタ１５へ、ナースコール中継装置２００を介してナースコール／監視システム８まで、
７．センサパッド１００ａ〜１００ｄからモニタ１５へ、ナースコール／監視システム８まで、
８．センサパッド１００ａ〜１００ｄからモニタ１５へ、モバイル通信機器２５０まで、
９．センサパッド１００ａ〜１００ｄからモニタ１５へ、ホームハブまで、
１０．センサパッド１００ａ〜１００ｄからモニタ１５へ、ナースコール中継装置２００を介してナースコール／監視システム８からモバイル通信機器２５０まで、
１１．センサパッド１００ａ〜１００ｄからモニタ１５へ、ナースコール／監視システム８からモバイル通信機器２５０まで、
１２．センサパッド１００ａ〜１００ｄからモニタ１５へ、ナースコール中継装置２００を介してナースコール／監視システム８からホームハブまで、
１３．センサパッド１００ａ〜１００ｄからモニタ１５へ、ナースコール／監視システム８からホームハブまで、
１４．センサパッド１００ａ〜１００ｄからルータへ、ナースコール中継装置２００を介してナースコール／監視システム８まで、
１５．センサパッド１００ａ〜１００ｄからルータへ、ナースコール／監視システム８まで、
１６．センサパッド１００ａ〜１００ｄからルータへ、ナースコール中継装置２００を介してナースコール／監視システム８からモバイル通信機器２５０まで、
１７．センサパッド１００ａ〜１００ｄからルータへ、ナースコール／監視システム８からモバイル通信機器２５０まで、
１８．センサパッド１００ａ〜１００ｄからルータへ、ナースコール中継装置２００を介してナースコール／監視システム８からホームハブまで、
１９．センサパッド１００ａ〜１００ｄからルータへ、ナースコール／監視システム８からホームハブまで、
２０．センサパッド１００ａ〜１００ｄからルータへ、モバイル通信機器２５０まで、
２１．センサパッド１００ａ〜１００ｄからルータへ、ホームハブまで、及び／又は
２２．センサパッド１００ａ〜１００ｄからベッド５に統合された電子モジュールまで送信されてもよい。
【００５３】
通知信号は、ワイヤレスＲＦ技術又はプロトコル、例えば、Ｗｉ−Ｆｉ、携帯電話、Ｂｌｕｅｔｏｏｔｈ（登録商標）、ＬｏＲａ（登録商標）、又はその他のワイヤレスプロトコルなどを使用して送信可能である。
【００５４】
モニタ１５の構造を一般的に説明したので、圧力センサパッド（１００ａ、１００ｂ、１００ｃ）、失禁センサパッド１１０ｄ、及びナースコール中継装置２００の構造について説明する。
【００５５】
図５は、スロット１２１（図８Ｂ）を通ってキルタブ１２０ａが取り付けられている圧力センサパッド電子回路１１０ａを含むベッド圧力センサパッド１００ａを示す。図６は、キルタブ１２０ｂが取り付けられた圧力センサパッド１１０ｂを含む椅子圧力センサパッド１００ｂを示す。図７は、キルタブ１２０ｃが取り付けられた圧力センサパッド電子回路１１０ｃを含むトイレ圧力センサパッド１００ｃを示す。図８Ａ及び図８Ｂは、センサパッド１００ａ、１００ｂ、及び１００ｃのいずれか１つでもよい圧力センサパッド（概して１００と見なされる）の端部の拡大図を示す。圧力センサパッド１００は、圧力センサパッド電子回路１１０ａ、１１０ｂ、及び１１０ｃのいずれか１つでもよい圧力センサパッド電子回路（概して１１０と見なされる）と、キルタブ１２０ａ、１２０ｂ、及び１２０ｃのいずれか１つでもよいキルタブ（概して１２０と見なされる）を含む。キルタブ１２０は、センサパッド１００のさらなる使用を防止するために、電子回路がそれ自体の機能を無効にするために設けられる。以下でより詳細に説明するように、キルタブ１２０を引っ張ると、関連する電子回路１１０、１３０が無効になったことをモニタ１５に信号で知らせることができ、その後、モニタ１５は、センサパッド１００との通信が失われたどうかクエリを行わないよう、センサパッド１００との組み合せを排除することで応答する。
【００５６】
キルタブ１２０は、スロット１２１内に取り外し可能に配置され、２つの電気接点間に延びる電線に接続する。電線により、２つの電気接点間に電流が流れることができる。キルタブ１２０がスロット１２１から取り外されると、電流が２つの電気接点を流れることができないように、電線は２つの電気接点の少なくとも１つから引き抜かれる。２つの電気接点の少なくとも１つは、コントローラ（１１５、１３５、１５５、図９から図１１）に接続されており、コントローラは、電流が２つの電気接点を流れるかどうかを検知する。コントローラは、電流が２つの電気接点を流れていないことを検知すると、コントローラは、シャットダウンルーチンを実行し、その後、センサデバイスの機能を終了するために、追加のステップ又は命令を実行しなくなる。
【００５７】
図８Ａ、図８Ｂ、及び図９は、圧力センサパッド１００で使用するための例示的な圧力センサパッド電子回路１１０の構造を示す。圧力センサパッド電子回路１１０は、電子キー３００（図３、図１２、及び図１３）を受容するためのキーポート１２４を含んでよい。電子キー３００は、モニタ１５に関連付けられており、モニタ１５を識別する固有のモニタ識別コードが保存されるメモリデバイスを含む。キーポート１２４は、ＵＳＢレセプタクル／プラグ又はマイクロＵＳＢレセプタクル／プラグを含む任意の形式を取ることができる。センサパッド１００をモニタ１５と組み合わせるには、キー３００をモニタ１５から取り外し、センサパッドのキーポート１２４に差し込んで、起動及び組み合わされる。各センサパッド１００の圧力センサパッド電子回路１１０は、キー３００が圧力センサパッド電子回路１１０のキーポート１２４に挿入されるまで非アクティブ（低電力スリープモード）である。このような挿入により、圧力センサパッド電子回路１１０を起動し、圧力パッドコントローラ１１５に、キー３００に保存されているモニタ１５を識別する固有のモニタ識別コードをダウンロードさせて保存させる。その後、これにより、圧力パッドコントローラ１１５は、圧力センサパッド１００がアクティブか非アクティブかを示すステータスコードだけでなく、ダウンロードされたモニタ識別（ＩＤ）コードも含む送信機１２７を介して定期的な信号送信を開始する。センサパッド１００から送信される信号にモニタ１５のＩＤコードを含めることによって、隣接する部屋のモニタは、それらの信号を無視し、モニタ１５は、そのＩＤコードを有する信号を監視するだけでよい。圧力センサ回路１２５が、患者が圧力パッド１００上に横たわっている又は座っている場合に加えられる圧力に対応する圧力の印加を感知しているならば、圧力センサパッド１００はアクティブである。信号には、圧力センサパッド１００に対応する圧力センサパッドのタイプを識別するタイプコードも含まれる。例えば、圧力センサパッド１００がベッド圧力センサパッド１００ａである場合、タイプコードはセンサパッド１００をベッド圧力センサパッド１００ａと識別し、圧力センサパッド１００が椅子圧力センサパッド１００ｂである場合、タイプコードは、パッドを椅子圧力センサパッド１００ｂ等と識別する。
【００５８】
上記の組み合せ方法の代替として、ポート１２４をモニタ１５上の対応するポートに直接接続してもよい。ホッパーコードを使用して、ポート１２４をモニタ１５に接続することもできる。その後、モニタ１５は、圧力センサパッド電子回路１１０を直接起動し、圧力パッドコントローラ１１５に、モニタ１５を識別する固有のモニタ識別コードをダウンロードさせて保存させることができる。これにより、キー３００は不要になる。
【００５９】
センサパッド１００から最初に信号を受信すると、モニタ１５は、「＿＿パッドが接続されました」という音声メッセージをスピーカ６５を介して再生することができる（ここでは、空白箇所にはセンサパッドのタイプが記載される）。例えば、受信された信号のタイプコードが、センサパッドがベッド圧力センサパッド１００ａであることを示した場合、モニタ１５は、「ベッドパッドが接続されました」とアナウンスするだろう。それから、モニタ１５は、「ベッドパッドはアクティブです」など、圧力センサパッド１００のアクティブ／非アクティブ状態をアナウンスしてもよい。これらの音声メッセージ又は音を提供することにより、看護人は、圧力センサパッドが適切に組み合わされ、動作しているかどうかを直ちに知ることができる。
また、パッドが接続されたことを視覚的に示す。
【００６０】
また、最初にセンサパッド１００から信号を受信すると、モニタ１５は、センサパッド１００が稼働している時間の監視を開始し、その後、パッドの稼働時間が閾値時間に達すると、センサパッドの寿命が間もなく切れるという通知を発行してもよい。このような通知は、看護ステーション監視システム８及び／又はモニタ１５で提示されてもよい。
【００６１】
図９に示すように、圧力センサパッド電子回路１１０は、少なくとも１つのバッテリ１２９と、パッド１００がアクティブであるかどうかを示すために使用できるオプションのインジケータライト１２２をさらに含んでもよい。しかし、一般的に、状態はモニタ１５より簡単に得られるため、インジケータライト１２２は必要なく、インジケータライトを除外すると、バッテリ１２９上の追加のドレインも除外される。インジケータライト１２２は、残りのバッテリ寿命を示してもよい。
【００６２】
上述のように、圧力センサパッド１００は、起動されると、モニタＩＤコード、タイプコード、及びアクティブ／非アクティブステータスコードを含む信号を定期的に送信する。モニタ１５は、ステータスが変化するごとに、このような信号を監視する。圧力センサパッド１００がアクティブであることを示す信号を受信した場合、モニタ１５は、上記のようにパッドがアクティブであることをアナウンスし、その後の信号を監視して、圧力センサパッド１００が非アクティブであることを示すステータスコードが信号に含まれているかどうかを判断する。以前にアクティブであった圧力センサパッド１００が非アクティブになった場合、モニタ１５は、以下のステップのいずれか１つ又は複数を実行することができる。まず、センサパッドから受信された信号が、パッドが第１の所定時間でアクティブであることを示すステータスコードで再開するであろう場合、患者が起きずにベッド、椅子、又はトイレに移動しただけである可能性があるため、モニタは、アクションを実行する前に、第１の所定時間（例えば、３秒）待機することができる。パッドがアクティブであることを示すステータスコードを伴う次の信号が所定時間内に受信された場合、モニタ１５は、それ以上のアクションを取らない。しかし、パッドがアクティブであることを示すステータスコードを伴う次の信号が所定時間内に受信されない場合、モニタ１５は、「ジョン、介助のない状態で起き上がらないでください。お手伝いが必要でしたら、ナースコールボタンを押して下さい。」と述べる、事前に録音された音声メッセージを最初に再生してもよい。次に、モニタ１５は、ステータスコードがアクティブに戻るかどうかを見るために第１の所定時間とは異なる時間であってもよい第２の所定時間待機することが可能で、その時点でモニタ１５はそれ以上のアクションを取らない。しかし、ステータスコードが第２の所定時間内にアクティブに戻らない場合、モニタは再び、患者に起き上がらないように指示する音声メッセージを再生してもよく、モニタ１５は、看護ステーション４の看護監視システム８又はモバイル通信機器２５０に通知をさらに送信して、患者が介助なしで起き上がったことを看護スタッフに通知してもよい。看護人は、モニタ１５のリセットボタン６７ａを押すことによって、患者の部屋２に入室する際にそのような通知／警報を消音することができる。
【００６３】
アクティブ状態から非アクティブ状態に変わる圧力センサパッド１００のタイプを知ることによって、モニタ１５は、特定のタイプの圧力センサパッドに合わせて調整された異なる音声又はメッセージを再生し、及び／又は直ちに看護人に通知するなどの異なるアクションを実行することができる。例えば、センサパッドがベッド圧力センサパッド１００ａである場合、モニタ１５は、「メアリー、そのままベッドにいてください。お手伝いが必要でしたら、ナースコールボタンを押して下さい。」などのメッセージを再生してもよい。別の例として、センサパッドがトイレ圧力センサパッド１００ｃである場合、モニタ１５は、「メアリー、トイレでそのままお待ちください。看護師が介助に向かっています。」などのメッセージを再生してもよい。
【００６４】
センサパッド１００が特定の時間その定期的な信号の送信を停止したことにモニタ１５が気づくと、モニタ１５は、特定のセンサパッド１００においてそこに保存されたステータスフラグを変更し得る。このように、看護人がモニタ１５上のステータスボタン６７ｃを押す場合、モニタ１５は、信号の受信元である様々なセンサパッドの接続状態をアナウンスする。これにより、看護人は、例えば、車椅子に乗っている可能性のある椅子圧力センサパッド１００ｂがモニタ１５の範囲外に移動したかどうかを認識することができる。別の例として、センサパッドは、適切に動作を停止する場合があり（バッテリが早期に切れるなど）、この時点で、ステータスボタン６７ｃを押す看護人は、どのパッドが正常に動作していないかを判断し、欠陥のあるセンサパッドを交換できる。追加の手段として、モニタ１５は、センサパッド１００が特定の時間その定期的な信号の送信を停止したことを検出すると、定期的な信号の欠如をセンサパッドが非アクティブになったように扱い、上記の手順を実行することができ、この時点で、患者が起きた可能性があることが最終的に看護人に通知される。患者の部屋に入ると、その後、看護人は、患者が起きていないことを確認し、患者が休んでいるセンサパッドが正常に動作していない又は部屋にもうないことを直ちに判断できる。それから、看護人は、ステータスボタン６７ｃを押して、接続された各センサパッドの状態を聞くことによって、これを確認できる。その後、無くなったセンサパッド１００は、例えば、モニタ１５上の２つのボタンの組み合わせを押して組み合せを解除することによって、クリアされ得る。
【００６５】
センサパッド１００の状態は、センサパッドから受信した定期的な信号に基づいてモニタ１５に保存されるが、代わりに又は追加で、コントローラ７０は、各センサパッドの更新された状態を取得するためにボタン６７ｃが押されたことを検知すると、ステータス要求信号を各センサパッドに送信するように構成されてもよい。
【００６６】
各センサパッド１００の状態を音声で通知することに加えて、モニタ１５は、状態を示すインジケータライト７８ａ、７８ｂ、７８ｃ、７８ｄ、及び７８ｅを点灯することができる。例えば、モニタ１５は、対応するセンサパッドとの継続中の接続がある場合、このようなインジケータライトを点灯させ、対応するセンサパッドとの継続中の接続がない場合、このようなインジケータライトを消灯させてもよい。代わりに、状態を示すために、発せられる光の色を変えてもよい。これらのライトは、連続的に点灯若しくは消灯される、又はステータスボタン６７ｃが押された時にのみ点灯されてもよい。また、モニタ１５は、ステータスボタン６７ｃが押された時インジケータライト７８を使用することによって状態を示するように構成されてもよく、及びステータスボタン６７ｃが押されて一定時間保持される場合に、モニタ１５は、アクティブなパッドの通知後に、どのセンサパッドが接続されているかを通知してもよい。インジケータライトは、例えば、他のランプが消えた後、そのインジケータライトを３秒間点灯し続けることで、又は別の色を使用することで、又は点滅することで、アクティブなセンサパッドを示すのに使用されてもよいことに留意されたい。ステータスボタン６７ｃを１回押すと、接続されているパッドとアクティブなパッドを視覚的に示すことができる。ステータスボタン６７ｃを２回押すと、モニタ１５は、どのセンサパッドが接続されているかを通知した後、どのパッドがアクティブかを通知することができる。ステータスボタン６７ｃを押し続けると、ローカル警報音が鳴る。この機能は、そのモードに関連付けられている音を再生することによって、モニタの背面で選択されたモードを識別する。これは、単一の圧力音、単一の失禁音、又はその２つの音の組み合わせであり得る。この機能により、看護人は、マウントからモニタを取り外して、選択されたモードを確認する必要がなくなる。また、看護人は、ステータスボタン６７ｃを押して、パッド接続が失われたかどうかを確認できる。パッドが無くなった場合、パッド接続が再確立される又はパッドがモニタから切断されるまで、モニタ１５のインジケータライトが点滅し続ける。
【００６７】
アクティブなセンサパッドがアクティブでなくなったことがその後検出された場合、通知又は警報を発生させることなく、モニタ１５の保持６７ｂにより、看護人は一定期間患者を支援することができる。例えば、看護人が患者をベッドから椅子又はトイレまで介助したい場合、看護人はモニタ１５の保持ボタン６７ｂを押す。その後、モニタ１５は、所定の時間、例えば３０秒間保持するため、この所定の時間はアラームを発しない。このような期間は、患者がベッドからバスルーム又は椅子に移動するのに十分であり、その時点で、それぞれのトイレ圧力センサパッド１００ｃ又は椅子圧力センサパッド１００ｂはアクティブになることで、警報を阻止する。保持ボタン６７ｂが押されると、モニタ１５は「モニタは３０秒間保持されます」と音声で告知してもよい。その後、モニタ１５は、消音又は定期的なビープ音を維持してから、保持時間が進むにつれて「リセットまで１０秒」を示し、それから、保持期間の満了時点で「リセット」を示すことができる。３０秒間の保持の終わりにパッドに圧力が再び加えられると、モニタは、パッドが自動的に再アクティブ化されることを示す音を生成する。この音は、保持後にパッドがアクティブであることを裏付ける。パッドに圧力が再び加えられない場合、パッドはアクティブではなく、モニタは通知音を生成しない。
【００６８】
モニタ１５は、保持ボタン６７ｂが押されると、モニタ１５が５分間など、より長い期間保持することができるように構成されてもよい。この延長された保持期間は、失禁イベントが発生したときに役立つ。例えば、失禁センサパッド１００ｄに水分があることを検知すると、失禁センサパッド１００ｄは、看護人に通知することによって応答するモニタ１５に信号を送る。その後、看護人は部屋に入ると、保持ボタン６７ｂを押して保持する。それから、モニタ１５は、例えば、「失禁警報が５分間保持されます」と提示し、５分間タイマーをスタートさせる。この期間は５分以外の時間でもよいが看護人が患者を椅子またはトイレに移動し、シーツを交換し、関連するキルタブ１２０（図８Ａ及び図８Ｂ）を引き抜くことでウェット失禁センサパッド１００ｄを終了し、及び新しい失禁センサパッド１００ｄ（キー３００を使用する）を取り付けて起動させるのに十分な時間でなければならない。この５分間の保持は、圧力センサパッドに関連するモニタ１５による警報又は通知の生成を阻止しない。しかし、看護人が患者を移動する場合、看護人は、保持ボタン６７ｂを押して、圧力センサパッドに応答してモニタからの警報を阻止する３０秒の保持を開始し、その後、患者を動かすことができる。それから、看護人は、保持ボタンを再度押して、患者をベッド（又は失禁イベントが発生した場合は、椅子）に戻してもよい。別のアプローチは、看護人が３０秒の保持を使用して患者を動かし、湿った失禁センサパッド１００ｄのキルタブを引くことによって警報を無期限に消すことができることである。その後、失禁警報の保持は、新しい失禁センサパッド１００ｄが起動され、モニタ１５と組み合わされるまで無期限になる。
【００６９】
失禁パッドは、クイックコネクトのクリップをパッド又はおむつから外す４７０、４７０’だけで消音にすることもできる。
パッド又はおむつが外されると、失禁警報は停止する。また、失禁警報が鳴っている場合、看護師は保持ボタンを押すことができ、モニタは圧力保持よりも失禁保持を自動的に選択する。通常、保持ボタンを１回押すと、圧力保持が可動する。失禁警報がなっているとき、モニタは、失禁保持の要件である長押しから単発押しに切り替えることができる。
【００７０】
図１０は、失禁センサパッド１００ｄ又はクイックコネクタモジュール４７０、４７０’（図１９〜図２２、及び図２４〜図２７）で使用するための例示的な電子回路１３０の構造の例を示す。電子キー３００（図３、図１２、及び図１３）を受容するためにキーポート１４４を設けてもよい。圧力センサパッドに関して上述した組み合わせ工程と同様に、失禁センサパッド１００ｄをモニタ１５と組み合せるには、キー３００をモニタ１５から取り外し、失禁センサパッド１００ｄのキーポート１４４に差し込んで、起動及び組み合わされる。失禁センサパッド１００ｄの失禁センサパッド電子回路１３０は、キー３００が失禁センサパッド電子回路１３０のキーポート１４４に挿入されるまで非アクティブ（低電力スリープモード）である。このような挿入により、失禁センサパッド電子回路１３０を起動し、失禁パッドコントローラ１３５に、キー３００に保存されているモニタ１５を識別する固有のモニタ識別コードをダウンロードさせて保存させる。その後、これにより、失禁パッドコントローラ１３５は、失禁センサパッド１００が乾いている又は湿っているかを示すステータスコードだけでなく、ダウンロードされたモニタ識別コードも含む送信機１４７を介して定期的に信号送信を開始する。失禁センサパッド１００ｄから送信される信号にモニタ１５のＩＤコードを含めることによって、隣接する部屋のモニタは、それらの信号を無視し、モニタ１５は、そのＩＤコードを有する信号を監視するだけでよい。水分センサ回路１４５は、コントローラ１３５に接続され、センサパッド１００ｄが乾いている又は湿っているかを示す。定期的な信号は、失禁センサパッド１００ｄとしてセンサパッドのタイプを識別するタイプコードも含む。この場合も、電子回路１３０をモニタ１５に直接接続する又はコードを使用する等によって、キー３００を必要とせずに異なる組み合せ方法を使用することが可能である。
【００７１】
失禁センサパッド１００ｄから最初に信号を受信すると、モニタ１５は、「失禁パッドが接続されました」という音声メッセージをスピーカ６５を介して再生する。それから、モニタ１５は、「失禁パッドは乾いています」など、失禁センサパッド１００ｄの乾燥した／湿った状態をアナウンスしてもよい。これらの音声メッセージ又は音を提供することにより、看護人は、失禁センサパッドが適切に組み合わされ、動作しているかどうかを直ちに知ることができる。
【００７２】
また、最初に失禁センサパッド１００ｄから信号を受信すると、モニタ１５は、失禁センサパッド１００ｄが稼働している時間の監視を開始し、その後、パッドの稼働時間が閾値時間に達すると、失禁センサパッドの寿命が間もなく切れるという通知を発行してもよい。このような通知は、看護ステーション監視システム８、モバイル通信通信機器２５０、及び／又はモニタ１５で提示されてもよい。
【００７３】
図１０に示すように、電子回路１３０は、少なくとも１つのバッテリ１４９と、パッド１００ｄがアクティブであるかどうかを示すために使用できるオプションのインジケータライト１４２をさらに含んでもよい。しかし、一般的に、状態はモニタ１５より簡単に得られるため、インジケータライト１４２は必要なく、インジケータライトを除外すると、バッテリ１４９上の追加のドレインも除外される。以下でさらに説明するように、電子回路１３０は、押されるとインジケータライト１４２に状態を表示させるステータスボタン４９２’をさらに含んでもよく、状態は、電子回路がセンサパッド１００ｄに適切に電気的に接続されているかどうかを含んでもよい。ステータスインジケータ１４２は、失禁イベントがある時の状態をさらに示してもよい。
【００７４】
図１２及び図１３は、キー３００の例を示す。図示のように、キー３００は、例えば、モニタ１５のキーポート８２、センサパッド１００のキーポート１２４、失禁センサパッド１００ｄのキーポート１４４、及びキーポート１６４又はナースコール中継装置２００に差し込むように構成された直径１／８インチのピンであってもよいプラグ３０２を含む。しかしながら、プラグ３０２は、代わりにＵＳＢ又はマイクロＵＳＢプラグであってもよいことに留意されたい。キー３００は、モニタＩＤが保存され、オプションのインジケータライト３０４を含んでもよいメモリデバイスも含む。インジケータライト３０４は、キー３００がキーポートに挿入される際の組み合せ作業の状態を示すのに使用してもよい。例えば、インジケータライト３０４は、組み合せ作業の間点滅し、組み合せが完了すると常に点灯したままになる場合がある。代わりに、インジケータライト３０４は、色を変えてもよい。
【００７５】
キー３００の本体は、キー３００がキーポートから容易に引き出されるように、１つ又は複数の凹み部３０６ａ及び３０６ｂを含み、ユーザがキー３００を掴みやすくなっている。本体は、照明光８４に近接したモニタ１５のハウジング２０の対応する突出部を受け入れるために、２つ以上の凹部３０５ａ及び３０５ｂをさらに含んでもよい。
【００７６】
キー３００の特定の構成が示されているが、キー３００は様々な形式を取ることができ、ＵＳＢメモリスティック又は同様のポータブルメモリデバイスを含んでもよい。また、本明細書で説明するいくつかの実施形態では、キー３００は、その上の端子をモニタ１５上の端子に直接接続することによりセンサパッド１００ａ〜１００ｄを組み合せることも可能であるので、含まれない場合がある。また、組み合わせは、それぞれが互いに近接して、同時に組み合せモードに入ることにより無線で実行できる。
【００７７】
図１４及び図１５は、ナースコール中継装置２００の例を示す。図１１は、ナースコール中継装置２００内の電子機器１５０を示す。ナースコール中継装置２００は、ナースコールボタン２０２（図１）のプラグ２０２ａを受け入れるナースコールボタンレセプタクル１６０を含んでおり、ワイヤ２０２ｂを介して実際のナースコールボタンに接続される。ナースコール中継装置２００は、既存のナースコールシステム２０４（図１）の壁コンセント２０４ａに差し込むためのプラグ１６５をさらに含む。プラグ２０２ａおよび１６５は、１／４インチのモノジャックプラグでもよい。図１１に示すように、電子機器１５０は、ナースコールコントローラ１５５であって、コントローラ１５５が、ナースコールボタン２０２からナースコールシステム２０４に受信されたナースコール信号を通過させることができるように、ナースコールボタンレセプタクル１６０とプラグ１６５の両方と通信するナースコールコントローラ１５５を含む。コントローラ１５５は、プラグ１６５および壁コンセント２０４ａへの接続を介して、ナースコールシステム２０４を通じて他の情報をさらに送信することができる。プラグ１６５は、ナースコール中継装置２００の本体に対して配向固定されているように示されているがナースコール中継装置２００の本体の背面、上面、又は側面から外側に延びて、選択的に枢動できるように枢動可能な配置で構成されてもよい。あるいは、プラグ１６５はポートであってもよく、壁コンセント２０４ａへの接続はホッパーコードを介してもよい。
【００７８】
ナースコール中継装置２００は、キー３００のプラグ３０２を受け入れるためのキーポート１６４をさらに含んでもよい。ナースコール中継装置２００は、コントローラ１５５がキーポート１６４内にキープラグ３０２の存在を検出するまでスリープ状態のままであってよい。キーポート１６４内にキープラグ３０２の存在を検出すると、コントローラ１５５は、キー３００のメモリデバイスに保存されたモニタＩＤを検索して保存することができる。これにより、ナースコール中継装置２００はモニタ１５と組み合わされ、それにより、固有のモニタＩＤを有するモニタ１５からの信号にのみ応答することが可能になる。その後、コントローラ１５５は、ナースコールトランシーバ１６７を使用してモニタ１５に定期的な信号の送信を開始してもよい。この定期的な信号には、ナースコール中継装置からの定期的な信号を識別するステータスコードとタイプコードだけでなく、モニタＩＤも含まれる。ステータスコードは、ナースコール中継装置２００に電力を供給している少なくとも１つのバッテリ１６９の状態を示してもよい。ナースコール中継装置２００は、状態を視覚的に示すためのオプションのインジケータライト１６２も含んでもよい。この場合も、電子回路１５０をモニタ１５に直接接続する又はコードを使用する等によって、キー３００を必要とせずに異なる組み合せ方法を使用することが可能である。
【００７９】
定期的な信号をモニタ１５に送信することに加えて、トランシーバ１６７はまた、モニタ１５から信号を受信してもよい。例えば、上述のように、モニタ１５は、ナースコール中継装置２００に信号を送信して、ナースコール中継装置２００に、看護ステーション４のナースコール／監視システム８に警報又は他の通知信号を送信させることができる。さらに、上述の履歴データなど、看護ステーション４への送信するために、モニタ１５から他のデータが送信されてもよい。ナースコール中継装置２００は、このようなデータ又は警報／通知信号の受信を確認するために、確認信号をモニタ１５に送り返すように構成されてもよい。
【００８０】
モニタ１５に中継するためにナースコール／監視システム８からナースコール中継装置２００に情報が送信される可能性もある。
例えば、警報を消音したり、ナースコール／監視システム８からステータス要求を送信してもよい。その後、ステータス情報がモニタ１５から送り返されてもよい。また、動画をモニタ１５に、またはモニタ１５からストリーミング配信してもよい。
【００８１】
再び図１５を参照すると、ナースコール中継装置２００は、ナースコール中継装置に電力を供給するために使用される少なくとも１つのバッテリ１６９を格納するためのバッテリーコンパートメント２０１を含んでもよい。しかしながら、ナースコール中継装置２００は、代わりに交流電力ポート１６６を使用する病室から提供される交流電力によって電力供給されてもよいことが理解されるだろう。図１１に示すように、ナースコール中継装置２００はまた、交流／直流コンバータ電源１６７を含んでもよい。
【００８２】
図１６および図１７は、壁取り付けキー４１５ａなどの特定のツールなしでは壁からモニタ１５を取り外せないように壁にモニタ１５を取り付けるための取り付けシステムの例を示す。図示のように、取り付けプレート４００の穴４０２を通るねじを介して壁にねじ込むことができる取り付けプレート４００が設けられる。図１６には、取り付けプレート４００の前面が示されており、取り付けプレート４００の上端の開口部４０６ａ及び４０６ｂまでそれぞれ上方に延びる２つの垂直スロット４０４ａ及び４０４ｂが形成されている。図１７は、モニタ１５および取り付けプレート４００の背面を示す。図示のように、モニタ１５の背面は、垂直に延び、取り付けプレート４００の前面の垂直スロット４０４ａ及び４０４ｂと同じ距離の間隔を空けて配置された一対の平行なＬ字形フランジ４０８ａ及び４０８ｂを含む。フランジ４０８ａ及び４０８ｂの各々は、後方に突出し、他のフランジの横方向脚部から横方向に離れて延びる横方向脚部を有する。取り付けプレート４００に取り付けるためにモニタ１５を下方にスライドさせることができるように、取り付けプレート４００の上端のスロット開口部４０６ａ及び４０６ｂは、フランジ４０８ａ及び４０８ｂの外形に対応する形状をしている。フランジ４０８ａ及び４０８ｂの最下部がそれぞれスロット４０４ａ及び４０４ｂの底部に達すると、モニタ１５はそれ以上下方に移動することができず、取り付けプレート４００のキャッチ４１０は、モニタ１５の背面の開口部４１２に係合して、モニタ１５上方にスライドするのを防止する。このように、モニタ１５は、取り外し又は改ざんできない。特別な壁取り付けキー４１５は、取り付けプレート４００とモニタ１５との間で上方にスライドして、キャッチ４１０と係合し、モニタ１５を上方にスライドさせて取り外せるようにする必要がある場合がある。図１７にも示すように、少なくとも１つのバッテリ５０が格納されるバッテリーコンパートメントへのアクセスを可能にするために、バッテリードア４１４及び関連するキャッチ４１５をモニタ１５の背面に設けることができる。バッテリーコンパートメントをモニタの背面に配置することにより、バッテリーコンパートメントへのアクセスは、取り付けプレート４００からモニタ１５を取り外すための特別なツールを備えたものに限られる場合がある。
【００８３】
図１８Ａは、失禁センサパッド１００ｄの構造の第１の例を示す。パッドは、パッド１００ｄの底面全体に広がる不透水性基材４５０、不透水性基材４５０上にある水分吸収パッド４５２、及び水分吸収パッド４５２上にある水分浸透性基材４５４を含んでもよい。２つの基材４５０及び４５４と吸収パッド４５２は合わせて尿または他の液体を吸収するための吸収チャックを形成し、それによりマットレス又は椅子へのこのような液体の流れを阻止する。失禁センサパッド１００ｄは、基板の検知端１４５ａから接続端１４５ｂまで延びる２つの導電性トレースを有する薄い基板で形成され得る水分センサ回路１４５をさらに含んでもよい。検知端１４５ａは、パッド４５２によって吸収されるとあらゆる流体が検出され得る底部不透水性基板４５０に形成された開口部４５６の下に配置される。このような流体は導電性であり、導電性トレース水分センサ回路１４５の間の隙間を埋める。接着ストリップ４５８は、水分センサ回路１４５を不透水性基板４５０の底部の所定位置に保持するのに使用される。追加の接着ストリップ４６０を使用して、水分センサ回路１４５の接続端１４５ｂを基板４５０に堅固に固定することができる。
【００８４】
図１８Ｂは、失禁センサパッド１００ｄの構造の第２の例を示す。センサパッド１００ｄのすべての構成要素は、水分センサ回路１４５、接着ストリップ４５８、及び追加の接着ストリップ４６０が第２の例では使用されないことを除いて、図１８Ａと同じである。代わりに、不透水性基材４５０の内側に面する側は、基材４５０の内面に第１の導電性トレース４６２を有する。第１の導電性トレース４６２は、第１の複数の交互嵌合導電性延長部４６４に接続された第１の導電性バス４６３を含む。第１の導電性バス４６３は、基板４５０の内面の第１の末端部４６１まで延びている。第２の導電性トレース４６５も基板４５０の内面に設けられている。第２の導電性トレース４６５は、第２の複数の交互嵌合導電性延長部４６７に接続された第２の導電性バス４６６を含む。第２の導電性バスは、基板４５０の内面の第１の末端部４６１まで延びている。第１及び第２の導電性バス４６３及び４６６は、基材４５０の表面の末端部４６１から所定の間隔を置いて平行に延びている。基板４５０は、電子モジュール１３０の接続を容易にするために、基板４５２及び基板４５４より大きくてもよいことに留意されたい。
【００８５】
図２８Ａ及び図２９にも示すように、第１及び第２の導電性バス４６３及び４６６は、表面の第２の末端部４６８から第２の所定の間隔を置いて平行に延び、電子モジュール１３０に任意の第２の接続箇所を形成する。
【００８６】
失禁センサパッド１００ｄは略矩形であり、表面の第２の末端部分４６８は、失禁センサパッドの第１の末端部分４６１とは反対側に近接している。略矩形の失禁センサパッド１００ｄは、第１、第２、第３、及び第４の側面を有し、第１及び第３の側面は、第２及び第４の側面よりも短い。第１の末端部４６１は、第１の側面に近接し、第２の末端部１６８は、第３の側面に近接している。あるいは、表面の第１の末端部４６１は、第２の側面に近接し、第２の末端部４６８は、第４の側面に近接していてもよい。
【００８７】
第１の末端部１６１まで延びる第１の導電性バス４６３の第１の部分は、第２の末端部４６８まで延びる第１の導電性バス４６３の第２の部分と同一直線上にあり、第１の末端部４６１まで延びる第２の導電性バス４６６の第１の部分は、第２の末端部４６８まで延びる第２の導電性バス４６６の第２の部分と同一直線上にある。この特徴の利点は、図２９に示されるように、導電性インクを基材４５０のロール上に印刷し、その後、別個のシートに切断できることである。導電性バス４６３及び４６６を各エッジから一定の距離だけ平行に延びるようにすることで、電子モジュール１３０を接続するための適切な場所を確保しながら、ロールの切断箇所の製造公差が大きくなる。
【００８８】
図１９〜図２３は、失禁パッド１００ｄをモニタ１５に通信可能に接続する方法の２つの異なる例を示す。図１９及び図２０は、図１０に示すような失禁センサパッド電子回路１３０の使用を、モニタ１５と無線で通信するための手段として示す。失禁センサパッド電子回路１３０は、水分センサ回路１４５の接続端１４５ｂにクリップ留めするためのクリップコネクタ４７２を含む無線モジュール４７０に収容されてもよい。クリップコネクタ４７２は、旋回部４７４を含んでおり、旋回部４７４は、それと静止部４７６との間でコネクタ端１４５ｂを受け入れて所定の位置にロックするよう、静止部４７６と係合状態及び非係合状態になるように動く。静止部４７６は、水分センサ回路１４５のコネクタ端部１４５ｂのそれぞれの導電性パッド１４６ａ及び１４６ｂに電気的に接続するための２つの導電性端子４７８ａ及び４７８ｂを含む。旋回部４７４は、それぞれの導電性端子４７８ａ及び４７８ｂに対してコネクタ端部１４５ｂを付勢するための一対のばね４８０ａ及び４８０ｂを含んでもよい。旋回部４７４は、水分センサ回路１４５のコネクタ端部１４５ｂの位置決め穴１４３及び静止部４７６の凹部４８４を通る突起４８２を含んでもよい。図１９及び図２０には示されていないが、キルタブ１２０を設けてもよい。また、無線モジュール４７０は、キー３００のプラグ３０２を受け入れるためのキーポート１４４を含んでもよい。
【００８９】
図２１〜図２３は、失禁センサパッド１００ｄのモニタ１５への有線接続の例を示す。水分センサ回路１４５の接続端１４５ｂにクリップ留めするためのクリップコネクタ４７２を有する有線モジュール５００を提供してもよい。クリップコネクタ４７２は、図１９及び図２０に示す例と同様の旋回部４７４及び静止部４７６を有してもよい。有線モジュール５００は、失禁センサパッド電子回路１３０を含まないという点で無線モジュール４７０とは異なる。代わりに、有線モジュール５００は、取り外し可能なクリップ５０４及びセンサポート７９（図２３）を介してモニタ１５に直接接続するワイヤ５０２への接続を単に提供する。この構成では、失禁センサパッド１００ｄも有線モジュール５００も独自のコントローラを含む必要はなく、水分センサ回路１４５をモニタコントローラ７０に直接配線することができる。
【００９０】
図２４〜図２７は、図１８Ａ及び図１８Ｂに示される失禁センサパッド１００ｄの端末側終端４６１又は４６８に接続され得る無線モジュール４７０’の例を示す。無線モジュール４７０’は、端末側終端４６１又は４６８にクリップ留めして、導電性トレース４６２及び４６５と電気的に接触するためのクリップコネクタ４７２’を含む。クリップコネクタ４７２’は、旋回部４７４’を含んでおり、旋回部４７４’は、それと静止部４７６’との間で端末側終端４６１又は４６８を受け入れて所定の位置にロックするよう、旋回点４７５’を中心として旋回し、静止部４７６’と係合状態及び非係合状態になるように動く。静止部４７６’は、端末側終端４６１又は４６８でそれぞれの導電性バス４６３及び４６６に電気的に接続するための導電性端子４７７’を含む。係止タブ４９０’と、スライドして旋回部４７４’の延長部４７４ａ’との係合及び非係合状態になり、旋回部４７４’がクリップ留め位置から移動するのを防止する係止ピン４９２’とを含む係止機構が提供される。また、押されるとインジケータライト１４２を点灯させ、それによって状態を示すステータスボタン４９２’を設けることができる。インジケータライト１４２は、旋回部４７４’が透明であるか、インジケータライト１４２の上に透明な窓又は開口部を有する場合、旋回部４７４’の下の静止部４７６’に配置されてもよい。図示していないが、無線モジュール４７０’は、キー３００などのキーのプラグを受け入れるためのキーポートを含むことができる。
【００９１】
クイックコネクト失禁電子モジュール４７０、４７０’は、クイックコネクトモジュールが失禁パッド１００ｄに取り付けられた時に導電性インク材料を貫通するピンを有してもよい。より具体的には、布材料を導電性インクの上に配置してもよい。この場合、ピンで布材料とインク材料を貫通して、クイック接続モジュールと導電性インクの間に強固な接続を形成することが望ましい。クイックコネクトモジュールは、クイックコネクトが係止位置にない時にピンを囲むスプリング式リングを含んでもよい。これにより、ピンが材料に時期尚早に穴を開けたり、クイックコネクトが開いている時に危険になったり、クイックコネクトが係止位置になるまで強固な接続を形成するのを防止する。
【００９２】
失禁電子モジュール１３０、４７０、４７０’は、失禁検知パッド１００ｄの表面と係合するために底面に取り付け部材を含んでもよい。これにより、モジュールが確実にクリップ留めされたままの状態になる。取り付け部材は、フック及びベルクロ（登録商標）などの１００ｐタイプの留め具、又は他の機構であってもよい。
【００９３】
失禁用電子モジュール１３０、４７０、４７０’又はセンサパッド１００ｄは、失禁センサパッド１００ｄ上に横たわっている患者の体温を検知するための温度センサ１４８（図１０）も含むことができ、コントローラ１３５は、温度センサ１４８によって検知された体温が閾値体温に達すると床ずれ事前警告信号を発生させる。
【００９４】
図２８Ａ〜図２８Ｍは、失禁センサパッド１００ｄの基材４５０上に設けられている導電性トレース４６２及び４６５のいくつかの異なる例を示す。導電性トレースには、他の多くのパターンを使用できることが理解されよう。
【００９５】
図３０Ａ〜図３０Ｔは、導電性バス４６３及び４６６の異なる構成の様々な例を示す。図３０Ａ〜図３０Ｈでは、導電性バス４６３及び４６６は、基板４５０の縁まで延びていないが、図３０Ｉ〜図３０Ｌでは、導電性バス４６３及び４６６は、基板４５０の縁まで延びている。図３０Ｍ〜図３０Ｐでは、導電性バス４６３及び４６６は、基板４５０の縁まで延びておらず、電子モジュール１３０、４７０、４７０’を接続するための１つの端末側終端のみを形成している。図３０Ｑ〜図３０Ｔは、導電性バス４６３及び４６６が基板４５０の縁まで延びることを除いて、図３０Ｍ〜図３０Ｐと同様である。
【００９６】
図３１Ａ及び図３１Ｂは、失禁センサパッド１００ｄのさらなる例を示す。失禁センサパッド１００ｄは、看護人が水分吸収により膨張した吸収材の領域のサイズに基づいて吸収された水分の相対量を決定できるように、グリッドマーキング６０２を含むことができる。
グリッドマーキング６０２により、看護人は膨張した領域のサイズを容易に決定できる。
【００９７】
看護人が、色が変化した吸収材のサイズに基づいて吸収された水分の相対量を決定できるように、吸収材は吸収された水分に応じて色を変える色変化材料を任意に含む。色変化材料は、患者の皮膚のｐＨレベルに応じて色も変化する。このようなｐＨインジケータは、ｐＨレベルが所定のレベルを超える場合に１つの色を示し、ｐＨレベルが所定のレベルを下回る場合に異なる色を示す場合がある。
【００９８】
上記の実施形態は、平らなパッドとして構成された失禁センサパッド１００ｄ及び１００ｄ’を示しているが、２０１７年２月１７日にＰａｔｒｉｃｋ  Ｅ．  Ｅｄｄｙなどにより出願された、「患者の動き及び失禁通知装置」という名称の米国特許出願公開第２０１７／０２３６３９８号に開示されるおむつとして構成されてもよい。
【００９９】
モニタ１５のコントローラ７０は、出荷時リセットを実行するように構成されてもよい。例えば、コントローラ７０は、患者の介護者による複数の入力のうちの少なくとも２つの同時起動に応じて、係数初期設定条件にリセットするように構成されてもよい。この場合、各センサパッドをモニタ１５と再組み合わせする必要があり、事前に保存された音を消去せずに患者への音声コマンドを再録音する必要がある。特定の部屋において、新しい患者が以前の患者と入れ替わる場合、このような出荷時リセットが望ましい場合がある。
【０１００】
モニタ１５のコントローラ７０はまた、２つのボタンを一度に押すと、以前に組み合せされてすべてのセンサパッド（接続されたナースコールではない）をキャンセルするように構成されてもよい。この場合、モニタ１５は、すべてのパッドと組み合わされておらず、これらのパッドはモニタ１５と再び組み合わせられない。これは、新しい患者が入室し、ナースコールの再組み合せを必要としない際にも役立つ。代替として、パッドを新しいパッドであるかのように再組み合せできるようにモニタ１５を構成することも可能である。
【０１０１】
また、すべてのパッドをキャンセルし、さらにモニタのＩＤ番号を変更するようにコントローラ７０を構成することが望ましい場合がある。コントローラ７０は、基本的に出荷時リセットを実行し、メモリに保存され、その後電子キー３００に保存されるそのＩＤ番号を変更するように構成することができる。これは、モニタ１５上の３つのボタンを一度に押すことに応じて行われてもよい（または他の手段）。
【０１０２】
ある種のユーザ入力に応答して、音声オーディオ出力または音の音量を変更するようにコントローラ７０を構成することも可能である。例えば、モニタ１５のボタン又はボタンの組み合わせを押すと、デシベルレベル７１ｄＢと９１ｄＢの間で切り替えることができる。
【０１０３】
さらに、コントローラ７０は、ある種のユーザ入力に応答して、夜間照明をオン及びオフすることができる。これは、照明光８４又は照明２５０であってもよい。
【０１０４】
モニタ１５及び／又はナースコール中継装置２００のコントローラは、それぞれのバッテリの残りのバッテリ寿命を監視し、バッテリが切れそうな時に警告信号を生成するように構成されてもよい。警告は、音声で通知されてもよいし、看護ステーション４に送信されてもよい。
【０１０５】
圧力センサパッド１００ａ、１００ｂ、及び１００ｃは、当技術分野で以前から周知のあらゆる形態で構築されてもよい。圧力センサパッド構造の例は、米国特許出願公開第２０１４／０２２１８７６号に開示されている。また、米国特許出願公開２０１７／０２３６３９８号に開示されているようなマルチゾーン検知機能を有する圧力センサパッド１００を使用することができる。
【０１０６】
ベッド圧力センサパッド１００ａ及び失禁センサパッド１００ｄの機能を１つのセンサパッド１００に統合することができるように、失禁センサパッド１００ｄについて上述したものと同様の導電性トレースをベッド圧力センサパッド１００ａの上面に設けてもよい。また、上記および米国特許出願公開第２０１７／０２３６３９８号（Ａ１）に記載されているのと同じ形態で、吸収性チャックをセンサパッド１００と組み合わせてもよい。
【０１０７】
モニタ１５は、米国特許出願公開第２０１４／０２２１８７６号（Ａ１）に記載されているように再利用可能又は使い捨てであってもよい。
【０１０８】
トイレセンサ１００ｃは、患者が自分でトイレから立ち上がろうとしていることを看護人に通知するためにトイレに配置されてもよい。そのようなトイレ用途のためのセンサは、患者の皮膚に接触するトイレの表面に接続及び接着され得るフレキシブル回路を使用して構築されてもよい。したがって、デバイスは人間の皮膚又は圧力の特性を検知する。センサに圧力が加わる、又は患者がフレキシブル回路の接点に触れると、ユニットが作動する。トイレセンサ１００ｃは、ベッド及び椅子パッドと同様の圧力検知パッドであってもよい。
【０１０９】
また、トイレ用の便座ベルト１００ｅ（図２）を提供することが望ましい場合がある。この場合、患者がトイレから立ち上がろうとしているかどうかを検出するためにトイレ圧力センサパッド１００ｃを使用する必要はないかもしれない。代わりに、車のシートベルトセンサと同様に構成され得るシートベルトクリップセンサ５０２を便座ベルトに設けて、便座ベルトがクリップ留めされていない時に信号を生成することができる。この信号は、有線又は無線でモニタ１５に送信できる。無線で送信される場合、トイレ圧力センサ１００ｃに関して上記で説明されたのと同じ組み合わせ及び信号フォーマットを使用することができる。このように、患者の動き通知システムは、患者をトイレに固定するための便座ベルト１００ｅを含んでもよい。便座ベルト１００ｅは、患者を固定するために便座ベルトの２つの部分を接続する取り外し可能クリップ５０４と、取り外し可能クリップがクリップ留めされているかどうかを検知するためのクリップセンサ５０２とを含む。患者の動き通知システムは、クリップセンサが、取り外し可能クリップがもはやクリップ留めされていないことを検出すると、警報信号を発生するための信号発生器５０５をさらに含んでもよい。トイレ圧力センサパッド１００ｃは必要ではないかもしれないが、圧力センサが便座にかかる圧力を検知し、クリップセンサ５０２が、取り外し可能なクリップ５０４が便座ベルト１００ｅの２つの部分をもはや接続していないことを検出した時にのみ、信号発生器が警報信号を発生するように、トイレ圧力センサパッド１００ｃを便座ベルト１００ｅと組み合わせて使用することが依然として望ましい場合がある。信号発生器５０５は、警報信号をモニタ１５に無線で送信するための送信回路であってもよい。
【０１１０】
患者の動き通知システム１０は、患者の動きを検出するためにモニタ１５と通信するモーションセンサ６００（図２）をさらに含むことができる。モニタ１５は、最後に検出された動きからの期間を追跡し、モーションセンサ６００が少なくとも閾値期間にわたって患者の動きを検出しない場合、動き無しの通知を生成することができる。これは、患者が運動不足から床ずれを発症しないように看護人を支援することができる。したがって、動き無しの通知を受け取ると、看護人は部屋に入って患者を動かすことができる。モーションセンサ６００は、患者の動きを検出できる限り、どこにでも取り付けられ得る。モーションセンサ６００は、圧力センサパッド１００ａ、失禁センサパッド１００ｄ、若しくはモニタ１５に取り付けられてもよく、又は別個に取り付けられてもよい。
【０１１１】
モニタ１５のハウジング２０外表面及びセンサパッド１００の外面は、抗菌物質で処理されることが好ましい。ハウジング２０表面及びセンサパッド１００の表面は、溶液を使用して表面に噴霧され得る、及び／又はそのような溶液に浸した拭き取り繊維を使用して適用され得る抗菌処理でコーティングされてもよい。適切な拭き取り繊維及び溶液は、同一譲受人に譲渡された米国特許第８，４９１，９２２号に開示されている。
上記の表面は、３−（トリヒドロキシシリル）プロピルジメチルオクタデシルアンモニウム塩化物と過酸化水素の混合物で処理することもできる。
【０１１２】
上記実施形態の様々な態様は、ベッドに統合されてもよい。例えば、ベッド圧力センサパッド１００ａは、ベッドマットレスに統合されてもよい。このような例は、米国特許出願公開第２０１７／０２３６３９８号（Ａ１）に開示されている。この場合、ベッド５は、有線または無線接続を介して統合ベッド圧力センサパッド１００ａをモニタ１５に接続するために電子インターフェースを含んでもよく、モニタ１５又は警報インターフェースを使用できるように、吸収性チャック及び失禁センサは、マットレスの上部に設けられ、ベッドに含まれる電子インターフェースに接続されてもよい。
【０１１３】
モニタ１５にマイク６０及び音声認識機能を設けることによって、モニタ１５は、ＡｍａｚｏｎＥｃｈｏ（登録商標）、ＡｐｐｌｅＨｏｍｅＰｏｄ（登録商標）、又はＧｏｏｇｌｅＨｏｍｅ（登録商標）の操作方法と同様の方法で音声コマンドに応答するようにプログラムされてもよい。
【０１１４】
本明細書で使用する「通信可能に接続された」という用語は、２つの構成要素が互いに通信するように関連付けられて構成されていることを意味する。このような通信接続は、デバイスをハードワイヤリングすることによって、又はそれらの間に無線通信を提供することによってもたらされ得る。
【０１１５】
上記の説明は、好ましい実施形態のみのものと見なされる。本発明の変更は、当業者及び本発明を作成又は使用する者であれば思い浮かぶであろう。従って、図面に示され、上記で説明される実施形態は、単なる例示を目的とし、本発明の範囲を制限することを意図しないことを理解されたい。均等論を含む特許法の原則に従って解釈されるように、本発明の範囲は、後に提示される請求項によって定義される。
【図１】
2020530353.tif 000003
【図２】
2020530353.tif 000004
【図３】
2020530353.tif 000005
【図４】
2020530353.tif 000006
【図５】
2020530353.tif 000007
【図６】
2020530353.tif 000008
【図７】
2020530353.tif 000009
【図８Ａ】
2020530353.tif 000010
【図８Ｂ】
2020530353.tif 000011
【図９】
2020530353.tif 000012
【図１０】
2020530353.tif 000013
【図１１】
2020530353.tif 000014
【図１２】
2020530353.tif 000015
【図１３】
2020530353.tif 000016
【図１４】
2020530353.tif 000017
【図１５】
2020530353.tif 000018
【図１６】
2020530353.tif 000019
【図１７】
2020530353.tif 000020
【図１８Ａ】
2020530353.tif 000021
【図１８Ｂ】
2020530353.tif 000022
【図１９】
2020530353.tif 000023
【図２０】
2020530353.tif 000024
【図２１】
2020530353.tif 000025
【図２２】
2020530353.tif 000026
【図２３】
2020530353.tif 000027
【図２４】
2020530353.tif 000028
【図２５】
2020530353.tif 000029
【図２６】
2020530353.tif 000030
【図２７】
2020530353.tif 000031
【図２８Ａ】
2020530353.tif 000032
【図２８Ｂ】
2020530353.tif 000033
【図２８Ｃ】
2020530353.tif 000034
【図２８Ｄ】
2020530353.tif 000035
【図２８Ｅ】
2020530353.tif 000036
【図２８Ｆ】
2020530353.tif 000037
【図２８Ｇ】
2020530353.tif 000038
【図２８Ｈ】
2020530353.tif 000039
【図２８Ｉ】
2020530353.tif 000040
【図２８Ｊ】
2020530353.tif 000041
【図２８Ｋ】
2020530353.tif 000042
【図２８Ｌ】
2020530353.tif 000043
【図２８Ｍ】
2020530353.tif 000044
【図２９】
2020530353.tif 000045
【図３０Ａ】
2020530353.tif 000046
【図３０Ｂ】
2020530353.tif 000047
【図３０Ｃ】
2020530353.tif 000048
【図３０Ｄ】
2020530353.tif 000049
【図３０Ｅ】
2020530353.tif 000050
【図３０Ｆ】
2020530353.tif 000051
【図３０Ｇ】
2020530353.tif 000052
【図３０Ｈ】
2020530353.tif 000053
【図３０Ｉ】
2020530353.tif 000054
【図３０Ｊ】
2020530353.tif 000055
【図３０Ｋ】
2020530353.tif 000056
【図３０Ｌ】
2020530353.tif 000057
【図３０Ｍ】
2020530353.tif 000058
【図３０Ｎ】
2020530353.tif 000059
【図３０Ｏ】
2020530353.tif 000060
【図３０Ｐ】
2020530353.tif 000061
【図３０Ｑ】
2020530353.tif 000062
【図３０Ｒ】
2020530353.tif 000063
【図３０Ｓ】
2020530353.tif 000064
【図３０Ｔ】
2020530353.tif 000065
【図３１Ａ】
2020530353.tif 000066
【図３１Ｂ】
2020530353.tif 000067
【国際調査報告】
2020530353.tif 000068
2020530353.tif 000069